(57)【要約】  基地局装置と通信する移動局装置であって、第１の周波数帯域内の物理下りリンク共用チャネルを介したＲＲＣシグナリングを用いて送信される第１の周波数帯域とは異なる少なくとも１つの第２の周波数帯域を特定する情報を取得する情報取得部と、情報取得部が取得した情報に基づいて、第２の周波数帯域を特定する周波数帯域特定部と、第１の周波数帯域又は第２の周波数帯域を用いて基地局装置と通信する通信部と、を備える。
2010016255.tif 000002
【特許請求の範囲】
【請求項１】
基地局装置と移動局装置とを備える通信システムであって、
前記基地局装置は、
第１の周波数帯域とは異なる少なくとも１つの第２の周波数帯域を特定する情報を含む信号を前記第１の周波数帯域内の物理下りリンク共用チャネルを介したＲＲＣシグナリングを用いて前記移動局装置に送信する信号送信部を備え、
前記移動局装置は、
前記第１の周波数帯域内の物理下りリンク共用チャネルを介したＲＲＣシグナリングを用いて送信される前記第１の周波数帯域とは異なる少なくとも１つの第２の周波数帯域を特定する情報を取得する情報取得部と、
前記情報取得部が取得した情報に基づいて、前記第２の周波数帯域を特定する周波数帯域特定部と、
前記第１の周波数帯域又は前記第２の周波数帯域を用いて前記基地局装置と通信する通信部とを備える通信システム。
【請求項２】
基地局装置と通信する移動局装置であって、
前記第１の周波数帯域内の物理下りリンク共用チャネルを介したＲＲＣシグナリングを用いて送信される前記第１の周波数帯域とは異なる少なくとも１つの第２の周波数帯域を特定する情報を取得する情報取得部と、
前記情報取得部が取得した情報に基づいて、前記第２の周波数帯域を特定する周波数帯域特定部と、
前記第１の周波数帯域又は前記第２の周波数帯域を用いて前記基地局装置と通信する通信部と、
を備える移動局装置。
【請求項３】
前記周波数帯域特定部は、前記情報取得部が取得した情報に基づいて、第２の周波数帯域内にある特定の物理チャネルを含むか否かを特定する請求項２に記載の移動局装置。
【請求項４】
前記ＲＲＣシグナリングを運ぶ論理チャネルとして、共通制御チャネルが使用される請求項２に記載の移動局装置。
【請求項５】
前記ＲＲＣシグナリングを運ぶ論理チャネルとして、専用制御チャネルが使用される請求項２に記載の移動局装置。
【請求項６】
基地局装置と移動局装置とを用いた通信方法であって、
前記基地局装置は、
第１の周波数帯域とは異なる少なくとも１つの第２の周波数帯域を特定する情報を含む信号を前記第１の周波数帯域内の物理下りリンク共用チャネルを介したＲＲＣシグナリングを用いて前記移動局装置に送信する信号送信過程を有し、
前記移動局装置は、
前記第１の周波数帯域内の物理下りリンク共用チャネルを介したＲＲＣシグナリングを用いて送信される前記第１の周波数帯域とは異なる少なくとも１つの第２の周波数帯域を特定する情報を取得する情報取得過程と、
前記情報取得過程で取得した情報に基づいて、前記第２の周波数帯域を特定する周波数帯域特定過程と、
前記第１の周波数帯域又は前記第２の周波数帯域を用いて前記基地局装置と通信する通信過程とを有する通信方法。
【発明の詳細な説明】
【技術分野】
【０００１】
本発明は、通信システム、移動局装置及び通信方法に関する。
本願は、２００８年８月６日に、日本に出願された特願２００８−２０３３６１号に基づき優先権を主張し、その内容をここに援用する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ：第３世代パートナーシッププロジェクト）は、携帯電話システムの仕様の検討・作成を行うプロジェクトである。３ＧＰＰは、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ：広帯域−符号分割多元接続）とＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ：ジーエスエム）を発展させたネットワークを基本としている。【０００３】
３ＧＰＰでは、Ｗ−ＣＤＭＡ方式が第３世代セルラー移動通信方式として標準化され、順次サービスが開始されている。また、通信速度をさらに上げたＨＳＤＰＡ（Ｈｉｇｈ−Ｓｐｅｅｄ  Ｄｏｗｎｌｉｎｋ  Ｐａｃｋｅｔ  Ａｃｃｅｓｓ：エイチエスディーピーエー）も標準化され、サービスが開始されている。
３ＧＰＰでは、第３世代無線アクセス技術の進化であるＥＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）が検討されている。【０００４】
ＥＵＴＲＡにおける下りリンク通信方式として、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ：直交周波数分割多元接続）方式が提案されている。ＯＦＤＭＡは、互いに直交するサブキャリアを用いてユーザの多重化を行う方式である。
また、ＯＦＤＭＡ方式において、チャネル符号化等の適応無線リンク制御（リンクアダプテーション：Ｌｉｎｋ  Ａｄａｐｔａｔｉｏｎ）に基づく適応変復調・誤り訂正方式（ＡＭＣＳ：Ａｄａｐｔｉｖｅ  Ｍｏｄｕｌａｔｉｏｎ  ａｎｄ  Ｃｏｄｉｎｇ  Ｓｃｈｅｍｅ）といった技術が適用されている。
ＡＭＣＳとは、高速パケットデータ伝送を効率的に行うために、各移動局装置のチャネル品質に応じて、誤り訂正方式、誤り訂正の符号化率、データ変調多値数などの無線伝送パラメータ（ＡＭＣモードとも称する）を切り替える方式である。
各移動局装置のチャネル品質は、ＣＱＩ（Ｃｈａｎｎｅｌ  Ｑｕａｌｉｔｙ  Ｉｎｄｉｃａｔｏｒ：チャネル品質指標）を使って基地局装置へフィードバックされる。【０００５】
図１９は、従来の無線通信システムで用いられているチャネル構成を説明する図である。このチャネル構成は、ＥＵＴＲＡなどの無線通信システムで用いられている（非特許文献１参照）。図１９に示す無線通信システムは、基地局装置１０００、移動局装置２０００ａ、２０００ｂ、２０００ｃを備えている。Ｒ０１は、基地局装置１０００の通信可能な範囲を示している。基地局装置１０００は、この範囲Ｒ０１内に存在する移動局装置と通信する。【０００６】
ＥＵＴＲＡにおいて、基地局装置１０００から移動局装置２０００ａ〜２０００ｃへ信号を送信する下りリンクでは、物理報知チャネル（ＰＢＣＨ：Ｐｈｙｓｉｃａｌ  Ｂｒｏａｄｃａｓｔ  Ｃｈａｎｎｅｌ）、物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）、物理下りリンク共用チャネル（ＰＤＳＣＨ：Ｐｈｙｓｉｃａｌ  Ｄｏｗｎｌｉｎｋ  Ｓｈａｒｅｄ  Ｃｈａｎｎｅｌ）、物理マルチキャストチャネル（ＰＭＣＨ：Ｐｈｙｓｉｃａｌ  Ｍｕｌｔｉｃａｓｔ  Ｃｈａｎｎｅｌ）、物理制御フォーマット指示チャネル（ＰＣＦＩＣＨ：Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、物理ハイブリッド自動再送要求指示チャネル（ＰＨＩＣＨ：Ｐｈｙｓｉｃａｌ  Ｈｙｂｒｉｄ  ＡＲＱ  Ｉｎｄｉｃａｔｏｒ  Ｃｈａｎｎｅｌ）が用いられる。【０００７】
また、ＥＵＴＲＡにおいて、移動局装置２０００ａ〜２０００ｃから基地局装置１０００へ信号を送信する上りリンクでは、物理上りリンク共用チャネル（ＰＵＳＣＨ：Ｐｈｙｓｉｃａｌ  Ｕｐｌｉｎｋ  Ｓｈａｒｅｄ  Ｃｈａｎｎｅｌ）、物理上りリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）、物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）が用いられる。【０００８】
図２０は、従来の無線通信システムで用いられる帯域の一例を示す図である。図２０において、横軸は周波数を示しており、縦軸はキャリア周波数を示している。図２０では、キャリア周波数がｆ１１である。周波数方向に一つの連続した帯域Ｗ１１を用いて、基地局装置と移動局装置とが通信する。このような帯域の使用方法は、ＥＵＴＲＡなどの一般的な無線通信システムで用いられている。【０００９】
図２１は、従来の無線通信システムで用いられる帯域の他の一例を示す図である。図２１において、横軸は周波数を示している。図２１では、周波数方向に、不連続な複数の帯域Ｗ２１、Ｗ２２を用いて、基地局装置と移動局装置とが通信する。図２１に示すように、周波数方向に不連続な複数の帯域を複合的に用いることを、アグリゲーションという。【００１０】
しかしながら、従来から知られている無線通信システムにおいて、図２１のような不連続な複数の周波数帯域を用いて基地局装置と移動局装置とが通信する場合には、移動局装置は基地局装置と通信して複数の周波数帯域を特定する必要がある。そのため、通信開始時に基地局装置から移動局装置に送信する情報が多くなり、速やかに通信を開始できないという問題があった。
【先行技術文献】
【特許文献】
【００１１】
【非特許文献１】３ＧＰＰ  ＴＳ（Ｔｅｃｈｎｉｃａｌ  Ｓｐｅｃｉｆｉｃａｔｉｏｎ）３６．３００、Ｖ８．４．０（２００８−０３）、Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ、Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）  ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）；Ｏｖｅｒａｌｌ  ｄｅｓｃｒｉｐｔｉｏｎ；Ｓｔａｇｅ  ２（Ｒｅｌｅａｓｅ  ８）
【発明の概要】
【発明が解決しようとする課題】
【００１２】
本発明は、上記事情に鑑みてなされたものであり、その目的は、通信開始時に基地局装置から移動局装置に送信する情報を少なくすることができ、速やかに通信を開始することができる通信システム、移動局装置及び通信方法を提供することにある。
【課題を解決するための手段】
【００１３】
（１）  本発明は、上記課題を解決するためになされたもので、本発明の一態様による通信システムは、基地局装置と移動局装置とを備える通信システムであって、前記基地局装置は、第１の周波数帯域とは異なる少なくとも１つの第２の周波数帯域を特定する情報を含む信号を前記第１の周波数帯域内の物理下りリンク共用チャネルを介したＲＲＣシグナリングを用いて前記移動局装置に送信する信号送信部を備え、前記移動局装置は、前記第１の周波数帯域内の物理下りリンク共用チャネルを介したＲＲＣシグナリングを用いて送信される前記第１の周波数帯域とは異なる少なくとも１つの第２の周波数帯域を特定する情報を取得する情報取得部と、前記情報取得部が取得した情報に基づいて、前記第２の周波数帯域を特定する周波数帯域特定部と、前記第１の周波数帯域又は前記第２の周波数帯域を用いて前記基地局装置と通信する通信部とを備える。【００１４】
（２）  また、本発明の一態様による移動局装置は、基地局装置と通信する移動局装置であって、前記第１の周波数帯域内の物理下りリンク共用チャネルを介したＲＲＣシグナリングを用いて送信される前記第１の周波数帯域とは異なる少なくとも１つの第２の周波数帯域を特定する情報を取得する情報取得部と、前記情報取得部が取得した情報に基づいて、前記第２の周波数帯域を特定する周波数帯域特定部と、前記第１の周波数帯域又は前記第２の周波数帯域を用いて前記基地局装置と通信する通信部と、を備える。【００１５】
（３）  また、本発明の一態様による移動局装置では、前記周波数帯域特定部は、前記情報取得部が取得した情報に基づいて、第２の周波数帯域内にある特定の物理チャネルを含むか否かを特定しても良い。【００１６】
（４）  また、本発明の一態様による移動局装置では、前記ＲＲＣシグナリングを運ぶ論理チャネルとして、共通制御チャネルが使用されても良い。【００１７】
（５）  また、本発明の一態様による移動局装置では、前記ＲＲＣシグナリングを運ぶ論理チャネルとして、専用制御チャネルが使用されても良い。【００１８】
（６）  また、本発明の一態様による通信方法は、基地局装置と移動局装置とを用いた通信方法であって、前記基地局装置は、第１の周波数帯域とは異なる少なくとも１つの第２の周波数帯域を特定する情報を含む信号を前記第１の周波数帯域内の物理下りリンク共用チャネルを介したＲＲＣシグナリングを用いて前記移動局装置に送信する信号送信過程を有し、前記移動局装置は、前記第１の周波数帯域内の物理下りリンク共用チャネルを介したＲＲＣシグナリングを用いて送信される前記第１の周波数帯域とは異なる少なくとも１つの第２の周波数帯域を特定する情報を取得する情報取得過程と、前記情報取得過程で取得した情報に基づいて、前記第２の周波数帯域を特定する周波数帯域特定過程と、前記第１の周波数帯域又は前記第２の周波数帯域を用いて前記基地局装置と通信する通信過程とを有する。
【発明の効果】
【００１９】
本発明の通信システム、移動局装置及び通信方法は、通信開始時に基地局装置から移動局装置に送信する情報を少なくすることができ、速やかに通信を開始することができる。
【図面の簡単な説明】
【００２０】
【図１】本発明の第１の実施形態による物理リソースブロックの配置方法を示す図である。
【図２】本発明の第１の実施形態による通信システムで用いる下りリンクのチャネルの構成を示す図である。
【図３】本発明の第１の実施形態による通信システムで用いる上りリンクのチャネルの構成を示す図である。
【図４】本発明の第１の実施形態による無線通信システムの下りリンクで用いるフレーム構成を示す図である。
【図５】本発明の第１の実施形態による無線通信システムの上りリンクで用いるフレーム構成を示す図である。
【図６】本発明の第１の実施形態による基地局装置１００の構成を示す概略ブロック図である。
【図７】本発明の第１の実施形態による移動局装置２００の構成を示す概略ブロック図である。
【図８】本発明の第１の実施形態による基地局装置１００（図６）のデータ制御部１０１ａ、ＯＦＤＭ変調部１０２ａ、無線部１０３ａの構成を示す概略ブロック図である。
【図９】本発明の第１の実施形態による基地局装置１００から移動局装置２００に送信する信号の一例を示す図である。
【図１０】本発明の第１の実施形態による移動局装置２００（図７）の無線部２０３ａ、チャネル推定部２０５ａ、ＯＦＤＭ復調部２０６ａ、データ抽出部２０７ａの構成を示す概略ブロック図である。
【図１１】本発明の第１の実施形態による無線通信システムで用いる帯域の一例を示す図である。
【図１２】本発明の第１の実施形態の変形例による基地局装置のデータ制御部１０１ｂ、ＯＦＤＭ変調部１０２ｂ、無線部１０３ｂの構成を示す概略ブロック図である。
【図１３】本発明の第１の実施形態の変形例による移動局装置の無線部２０３ｂ、チャネル推定部２０５ｂ、ＯＦＤＭ復調部２０６ｂ、データ抽出部２０７ｂの構成を示す概略ブロック図である。
【図１４】本発明の第１の実施形態による無線通信システムの処理を示すシーケンス図等である。
【図１５】本発明の第１の実施形態で用いるシステム帯域の構成の一例を示す図である。
【図１６】本発明の第１の実施形態で用いるシステム帯域の構成の他の一例を示す図である。
【図１７】本発明の第２の実施形態による無線通信システムの処理を示すシーケンス図等である。
【図１８】本発明の第３の実施形態による無線通信システムの処理を示すシーケンス図等である。
【図１９】従来の無線通信システムで用いられているチャネル構成を説明する図である。
【図２０】従来の無線通信システムで用いられる帯域の一例を示す図である。
【図２１】従来の無線通信システムで用いられる帯域の他の一例を示す図である。
【発明を実施するための形態】
【００２１】
（第１の実施形態）
始めに、本発明の第１の実施形態について説明する。本発明の第１の実施形態による無線通信システムは、１つ以上の基地局装置と１つ以上の移動局装置とを備えており、その間で無線通信を行う。１つの基地局装置は、１つ以上のセルを構成する。１つのセルには、１つ以上の移動局装置を収容できる。
【００２２】
図１（ａ）及び図１（ｂ）は、本発明の第１の実施形態による下りリンクの物理リソースブロックの配置方法を示す図である。ここでは、不連続な複数のシステム帯域（占有帯域）を用いる広帯域システムについて説明する。また、ユーザの割り当て単位である物理リソースブロック（ＰＲＢ：Ｐｈｙｓｉｃａｌ  Ｒｅｓｏｕｒｃｅ  Ｂｌｏｃｋ）の配置方法の一例について説明する。図１（ａ）において、縦軸は周波数を示している。また、図１（ｂ）において、横軸は時間を示しており、縦軸は周波数を示している。
【００２３】
図１（ａ）に示すように、本発明の第１の実施形態では、基地局装置と移動局装置とが通信する際に複数のシステム帯域（ここでは、システム帯域Ｗ１とシステム帯域Ｗ２）を用いる。システム帯域Ｗ１とシステム帯域Ｗ２には、それぞれ複数のサブキャリアが含まれている。
図１（ｂ）は、マルチキャリア通信方式の一種であるＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅ：直交周波数分割多重）における送信単位であるサブフレーム（サブフレーム番号が０番のサブフレーム＃Ｆ０）の構成の一例を示している。
【００２４】
１サブフレームは少なくとも一つのスロットを含む。ここでは、一例として、サブフレーム＃Ｆ０が、２つのスロット＃Ｓ０とスロット＃Ｓ１とを含んでいる。
また、スロットは少なくとも１つのＯＦＤＭシンボルを含む。ここでは、１つのスロット＃Ｓ０、＃Ｓ１が、それぞれ７つのＯＦＤＭシンボルを含んでいる。
また、１つのスロットは周波数方向に複数のブロックに分割される。所定数のサブキャリアを周波数方向の単位として、１個の物理リソースブロック（ＰＲＢ）を構成する。
１つのサブキャリアと１つのＯＦＤＭシンボルとで構成される単位を、リソースエレメントと称する。物理層でのリソースマッピング処理で各リソースエレメントに対して変調シンボルなどがマッピングされる。
【００２５】
上述したように、物理リソースブロック（ＰＲＢ）は、送信の単位であるサブフレームを周波数と時間の２次元上で格子状に分割した領域である。以下では、それぞれの物理リソースブロック（ＰＲＢ）は、周波数方向に一様な帯域幅ＷＰＲＢを持つ場合について説明する。図１（ｂ）に示すように、物理リソースブロック（ＰＲＢ）には、下りリンク参照信号Ａ０１や、物理下りチャネルＡ０２が配置されている。
【００２６】
図１（ａ）に示すような不連続な複数の帯域Ｗ１、Ｗ２を複合的に用いて１つの広帯域なシステムを運用する際、本発明の第１の実施形態では、複数の帯域Ｗ１，Ｗ２のそれぞれに、周波数軸上に自然数個の物理リソースブロック（ＰＲＢ）を配置する。図１（ａ）及び図１（ｂ）では、システムがシステム帯域Ｗ１とシステム帯域Ｗ２の２つの下りリンク帯域を用いる場合について示している。システム帯域Ｗ１にはＮ１個（Ｎ１は自然数）の物理リソースブロック（ＰＲＢ）を配置し、システム帯域Ｗ２にはＮ２個（Ｎ２は自然数）の物理リソースブロック（ＰＲＢ）を配置している。
【００２７】
例えば、システムに対して許可された２つのシステム帯域の一方の帯域幅がＷ１であり、他方のシステム帯域の帯域幅がＷ２であり、物理リソースブロックの帯域幅ＷＰＲＢが固定の値に設定されているようなシステムである場合、Ｎ１を（Ｗ１／ＷＰＲＢ）以下となる自然数に設定し、Ｎ２を（Ｗ２／ＷＰＲＢ）以下となる自然数に設定する。これにより、Ｗ１の帯域の中のＮ１ＷＲＰＢの帯域にＮ１個の物理リソースブロック（ＰＲＢ）を配置し、Ｗ２の帯域の中のＮ２ＷＲＰＢの帯域にＮ２個の物理リソースブロック（ＰＲＢ）を配置するようにシステム帯域を用いる。
あるいは、物理リソースブロックの帯域幅ＷＰＲＢが送信機である基地局装置毎（あるいは地域毎）に設定可能なパラメータであるシステムにおいては、ＷＰＲＢを所定の自然数Ｎ１を用いてＷ１／Ｎ１、あるいは所定の自然数Ｎ２を用いてＷ２／Ｎ２と設定する。なお、ここではＷ１とＷ２はガードバンドを考慮した使用帯域幅である。
【００２８】
図２は、本発明の第１の実施形態による通信システムで用いる下りリンクのチャネルの構成を示す図である。また、図３は、本発明の第１の実施形態による通信システムで用いる上りリンクのチャネルの構成を示す図である。図２に示す下りリンクのチャネルと、図３に示す上りリンクのチャネルは、それぞれ論理チャネル、トランスポートチャネル、物理チャネルから構成されている。
論理チャネルは、媒体アクセス制御（ＭＡＣ：Ｍｅｄｉｕｍ  Ａｃｃｅｓｓ  Ｃｏｎｔｒｏｌ）層で送受信されるデータ送信サービスの種類を定義する。トランスポートチャネルは、無線インターフェースで送信されるデータがどのような特性をもち、そのデータがどのように送信されるのかを定義する。物理チャネルは、トランスポートチャネルを運ぶ物理的なチャネルである。
【００２９】
下りリンクの論理チャネルには、報知制御チャネル（ＢＣＣＨ：Ｂｒｏａｄｃａｓｔ  Ｃｏｎｔｒｏｌ  Ｃｈａｎｎｅｌ）、ページング制御チャネル（ＰＣＣＨ：Ｐａｇｉｎｇ  Ｃｏｎｔｒｏｌ  Ｃｈａｎｎｅｌ）、共通制御チャネル（ＣＣＣＨ：Ｃｏｍｍｏｎ  Ｃｏｎｔｒｏｌ  Ｃｈａｎｎｅｌ）、専用制御チャネル（ＤＣＣＨ：Ｄｅｄｉｃａｔｅｄ  Ｃｏｎｔｒｏｌ  Ｃｈａｎｎｅｌ）、専用トラフィックチャネル（ＤＴＣＨ：Ｄｅｄｉｃａｔｅｄ  Ｔｒａｆｆｉｃ  Ｃｈａｎｎｅｌ）、マルチキャスト制御チャネル（ＭＣＣＨ：Ｍｕｌｔｉｃａｓｔ  Ｃｏｎｔｒｏｌ  Ｃｈａｎｎｅｌ）、マルチキャストトラフィックチャネル（ＭＴＣＨ：Ｍｕｌｔｉｃａｓｔ  Ｔｒａｆｆｉｃ  Ｃｈａｎｎｅｌ）が含まれる。
上りリンクの論理チャネルには、共通制御チャネル（ＣＣＣＨ）、専用制御チャネル（ＤＣＣＨ）、専用トラフィックチャネル（ＤＴＣＨ）が含まれる。
【００３０】
下りリンクのトランスポートチャネルには、報知チャネル（ＢＣＨ：Ｂｒｏａｄｃａｓｔ  Ｃｈａｎｎｅｌ）、ページングチャネル（ＰＣＨ：Ｐａｇｉｎｇ  Ｃｈａｎｎｅｌ）、下りリンク共用チャネル（ＤＬ−ＳＣＨ：Ｄｏｗｎｌｉｎｋ  Ｓｈａｒｅｄ  Ｃｈａｎｎｅｌ）、マルチキャストチャネル（ＭＣＨ：Ｍｕｌｔｉｃａｓｔ  Ｃｈａｎｎｅｌ）が含まれる。
上りリンクのトランスポートチャネルには、上りリンク共用チャネル（ＵＬ−ＳＣＨ：Ｕｐｌｉｎｋ  Ｓｈａｒｅｄ  Ｃｈａｎｎｅｌ）、ランダムアクセスチャネル（ＲＡＣＨ：Ｒａｎｄｏｍ  Ａｃｃｅｓｓ  Ｃｈａｎｎｅｌ）が含まれる。
【００３１】
下りリンクの物理チャネルには、物理報知チャネル（ＰＢＣＨ：Ｐｈｙｓｉｃａｌ  Ｂｒｏａｄｃａｓｔ  Ｃｈａｎｎｅｌ）、物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）、物理下りリンク共用チャネル（ＰＤＳＣＨ：Ｐｈｙｓｉｃａｌ  Ｄｏｗｎｌｉｎｋ  Ｓｈａｒｅｄ  Ｃｈａｎｎｅｌ）、物理マルチキャストチャネル（ＰＭＣＨ：Ｐｈｙｓｉｃａｌ  Ｍｕｌｔｉｃａｓｔ  Ｃｈａｎｎｅｌ）、物理制御フォーマット指示チャネル（ＰＣＦＩＣＨ：Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、物理ハイブリッド自動再送要求指示チャネル（ＰＨＩＣＨ：Ｐｈｙｓｉｃａｌ  Ｈｙｂｒｉｄ  ＡＲＱ  Ｉｎｄｉｃａｔｏｒ  Ｃｈａｎｎｅｌ）が含まれる。
上りリンクの物理チャネルには、物理上りリンク共用チャネル（ＰＵＳＣＨ：Ｐｈｙｓｉｃａｌ  Ｕｐｌｉｎｋ  Ｓｈａｒｅｄ  Ｃｈａｎｎｅｌ）、物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）、物理上りリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）が含まれる。
これらのチャネルは、従来技術で説明した図１９のようにして基地局装置と移動局装置の間で送受信される。
【００３２】
次に、論理チャネルについて説明する。報知制御チャネル（ＢＣＣＨ）は、システム制御情報を報知するために使用される下りリンクチャネルである。ページング制御チャネル（ＰＣＣＨ）は、ページング情報を送信するために使用される下りリンクチャネルであり、ネットワークが移動局装置のセル位置を知らないときに使用される。
共通制御チャネル（ＣＣＣＨ）は、移動局装置とネットワーク間の制御情報を送信するために使用されるチャネルであり、ネットワークと無線リソース制御（ＲＲＣ：Ｒａｄｉｏ  Ｒｅｓｏｕｒｃｅ  Ｃｏｎｔｒｏｌ）接続を有していない移動局装置によって使用される。
【００３３】
専用制御チャネル（ＤＣＣＨ）は、１対１（ｐｏｉｎｔ−ｔｏ−ｐｏｉｎｔ）の双方向チャネルであり、移動局装置とネットワーク間で個別の制御情報を送信するために利用されるチャネルである。専用制御チャネル（ＤＣＣＨ）は、ＲＲＣ接続を有している移動局装置によって使用される。
専用トラフィックチャネル（ＤＴＣＨ）は、１対１の双方向チャネルであり、１つの移動局装置専用のチャネルであって、ユーザ情報（ユニキャストデータ）の転送のために利用される。
【００３４】
マルチキャスト制御チャネル（ＭＣＣＨ）は、ネットワークから移動局装置へＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ：マルチメディアブロードキャストマルチキャストサービス）制御情報を、一対多（ｐｏｉｎｔ−ｔｏ−ｍｕｌｔｉｐｏｉｎｔ）送信するために使用される下りリンクチャネルである。これは、１対多でサービスを提供するＭＢＭＳサービスに使用される。
【００３５】
ＭＢＭＳサービスの送信方法としては、単セル一対多（ＳＣＰＴＭ：Ｓｉｎｇｌｅ−Ｃｅｌｌ  Ｐｏｉｎｔ−ｔｏ−Ｍｕｌｔｉｐｏｉｎｔ）送信と、マルチメディアブロードキャストマルチキャストサービス単一周波数網（ＭＢＳＦＮ：Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ）送信とがある。
ＭＢＳＦＮ送信（ＭＢＳＦＮ  Ｔｒａｎｓｍｉｓｓｉｏｎ）とは、複数セルから同時に識別可能な波形（信号）を送信する同時送信技術である。一方、ＳＣＰＴＭ送信とは、１つの基地局装置でＭＢＭＳサービスを送信する方法である。
【００３６】
マルチキャスト制御チャネル（ＭＣＣＨ）は、１つまたは複数のマルチキャストトラフィックチャネル（ＭＴＣＨ）に利用される。マルチキャストトラフィックチャネル（ＭＴＣＨ）は、ネットワークから移動局装置へトラフィックデータ（ＭＢＭＳ送信データ）を一対多（ｐｏｉｎｔ−ｔｏ−ｍｕｌｔｉｐｏｉｎｔ）送信するために使用される下りリンクチャネルである。
なお、マルチキャスト制御チャネル（ＭＣＣＨ）およびマルチキャストトラフィックチャネル（ＭＴＣＨ）は、ＭＢＭＳを受信する移動局装置だけが利用する。
【００３７】
次に、トランスポートチャネルについて説明する。報知チャネル（ＢＣＨ）は、固定かつ事前に定義された送信形式によって、セル全体に報知される。下りリンク共用チャネル（ＤＬ−ＳＣＨ）では、ＨＡＲＱ（Ｈｙｂｒｉｄ  Ａｕｔｏｍａｔｉｃ  Ｒｅｐｅａｔ  Ｒｅｑｕｅｓｔ：ハイブリッド自動再送要求）、動的適応無線リンク制御、間欠受信（ＤＲＸ：Ｄｉｓｃｏｎｔｉｎｕｏｕｓ  Ｒｅｃｅｐｔｉｏｎ）、ＭＢＭＳ送信がサポートされ、セル全体に報知される必要がある。
また、下りリンク共用チャネル（ＤＬ−ＳＣＨ）では、ビームフォーミングを利用可能であり、動的リソース割り当ておよび準静的リソース割り当てがサポートされる。ページングチャネル（ＰＣＨ）では、ＤＲＸがサポートされ、セル全体に報知される必要がある。
また、ページングチャネル（ＰＣＨ）は、トラフィックチャネルや他の制御チャネルに対して動的に使用される物理リソース、すなわち物理下りリンク共用チャネル（ＰＤＳＣＨ）、にマッピングされる。
【００３８】
マルチキャストチャネル（ＭＣＨ）は、セル全体に報知される必要がある。また、マルチキャストチャネル（ＭＣＨ）では、複数セルからのＭＢＭＳ送信のＭＢＳＦＮ（ＭＢＭＳ  Ｓｉｎｇｌｅ  Ｆｒｅｑｕｅｎｃｙ  Ｎｅｔｗｏｒｋ）結合（Ｃｏｍｂｉｎｉｎｇ）や、拡張サイクリックプリフィックス（ＣＰ：Ｃｙｃｌｉｃ  Ｐｒｅｆｉｘ）を使う時間フレームなど、準静的リソース割り当てがサポートされる。
上りリンク共用チャネル（ＵＬ−ＳＣＨ）では、ＨＡＲＱ、動的適応無線リンク制御がサポートされる。また、上りリンク共用チャネル（ＵＬ−ＳＣＨ）では、ビームフォーミングを利用可能である。動的リソース割り当ておよび準静的リソース割り当てがサポートされる。ランダムアクセスチャネル（ＲＡＣＨ）は、限られた制御情報が送信され、衝突リスクがある。
【００３９】
次に、物理チャネルについて説明する。物理報知チャネル（ＰＢＣＨ）は、４０ミリ秒間隔で報知チャネル（ＢＣＨ）をマッピングする。４０ミリ秒のタイミングは、ブラインド検出（ｂｌｉｎｄ  ｄｅｔｅｃｔｉｏｎ）される。すなわち、タイミング提示のために、明示的なシグナリングを行わなくても良い。また、物理報知チャネル（ＰＢＣＨ）を含むサブフレームは、そのサブフレームだけで復号できる。つまり、自己復号可能（ｓｅｌｆ−ｄｅｃｏｄａｂｌｅ）である。
【００４０】
物理下りリンク制御チャネル（ＰＤＣＣＨ）は、下りリンク共用チャネル（ＰＤＳＣＨ）のリソース割り当て、下りリンクデータに対するハイブリッド自動再送要求（ＨＡＲＱ）情報、および、物理上りリンク共用チャネル（ＰＵＳＣＨ）のリソース割り当てである上りリンク送信許可（上りリンクグラント）を移動局装置に通知するために使用されるチャネルである。
【００４１】
物理下りリンク共用チャネル（ＰＤＳＣＨ）は、下りリンクデータまたはページング情報を送信するために使用されるチャネルである。物理マルチキャストチャネル（ＰＭＣＨ）は、マルチキャストチャネル（ＭＣＨ）を送信するために利用するチャネルであり、下りリンク参照信号、上りリンク参照信号、物理下りリンク同期信号が別途配置される。
【００４２】
物理上りリンク共用チャネル（ＰＵＳＣＨ）は、主に上りリンクデータ（ＵＬ−ＳＣＨ）を送信するために使用されるチャネルである。基地局装置１００が、移動局装置２００をスケジューリングした場合には、チャネルフィードバックレポート（下りリンクのチャネル品質識別子ＣＱＩ（Ｃｈａｎｎｅｌ  Ｑｕａｌｉｔｙ  Ｉｎｄｉｃａｔｏｒ）、プレコーディングマトリックス識別子ＰＭＩ（Ｐｒｅｃｏｄｉｎｇ  Ｍａｔｒｉｘ  Ｉｎｄｉｃａｔｏｒ）、ランク識別子ＲＩ（Ｒａｎｋ  Ｉｎｄｉｃａｔｏｒ））や下りリンク送信に対するＨＡＲＱ肯定応答（ＡＣＫ：Ａｃｋｎｏｗｌｅｄｇｅｍｅｎｔ）／否定応答（ＮＡＣＫ：Ｎｅｇａｔｉｖｅ  Ａｃｋｎｏｗｌｅｄｇｅｍｅｎｔ）も物理上りリンク共用チャネル（ＰＵＳＣＨ）を使用して送信される。
【００４３】
物理ランダムアクセスチャネル（ＰＲＡＣＨ）は、ランダムアクセスプリアンブルを送信するために使用されるチャネルであり、ガードタイムを持つ。物理上りリンク制御チャネル（ＰＵＣＣＨ）は、チャネルフィードバックレポート（ＣＱＩ、ＰＭＩ、ＲＩ）、スケジューリング要求（ＳＲ：Ｓｃｈｅｄｕｌｉｎｇ  Ｒｅｑｕｅｓｔ）、下りリンク送信に対するＨＡＲＱ、肯定応答／否定応答などを送信するために使用されるチャネルである。
【００４４】
物理制御フォーマット指示チャネル（ＰＣＦＩＣＨ）は、物理下りリンク制御チャネル（ＰＤＣＣＨ）のために使用されるＯＦＤＭシンボル数を移動局装置に通知するために利用するチャネルであり、各サブフレームで送信される。
物理ハイブリッド自動再送要求指示チャネル（ＰＨＩＣＨ）は、上りリンク送信に対するＨＡＲＱ  ＡＣＫ／ＮＡＣＫを送信するために利用するチャネルである。
【００４５】
次に、本発明の第１の実施形態による通信システムによるチャネルマッピングについて説明する。
図２に示されるように、下りリンクでは、次のようにトランスポートチャネルと物理チャネルのマッピングが行われる。報知チャネル（ＢＣＨ）は、物理報知チャネル（ＰＢＣＨ）にマッピングされる。
マルチキャストチャネル（ＭＣＨ）は、物理マルチキャストチャネル（ＰＭＣＨ）にマッピングされる。ページングチャネル（ＰＣＨ）および下りリンク共用チャネル（ＤＬ−ＳＣＨ）は、物理下りリンク共用チャネル（ＰＤＳＣＨ）にマッピングされる。
物理下りリンク制御チャネル（ＰＤＣＣＨ）、物理ハイブリッド自動再送要求指示チャネル（ＰＨＩＣＨ）、物理制御フォーマット指示チャネル（ＰＣＦＩＣＨ）は、物理チャネル単独で使用される。
【００４６】
一方、上りリンクでは、次のようにトランスポートチャネルと物理チャネルのマッピングが行われる。上りリンク共用チャネル（ＵＬ−ＳＣＨ）は、物理上りリンク共用チャネル（ＰＵＳＣＨ）にマッピングされる。
ランダムアクセスチャネル（ＲＡＣＨ）は、物理ランダムアクセスチャネル（ＰＲＡＣＨ）にマッピングされる。物理上りリンク制御チャネル（ＰＵＣＣＨ）は、物理チャネル単独で使用される。
【００４７】
また、下りリンクにおいて、次のように論理チャネルとトランスポートチャネルのマッピングが行われる。ページング制御チャネル（ＰＣＣＨ）は、下りリンク共用チャネル（ＤＬ−ＳＣＨ）にマッピングされる。
報知制御チャネル（ＢＣＣＨ）は、報知チャネル（ＢＣＨ）と下りリンク共用チャネル（ＤＬ−ＳＣＨ）にマッピングされる。共通制御チャネル（ＣＣＣＨ）、専用制御チャネル（ＤＣＣＨ）、専用トラフィックチャネル（ＤＴＣＨ）は、下りリンク共用チャネル（ＤＬ−ＳＣＨ）にマッピングされる。
マルチキャスト制御チャネル（ＭＣＣＨ）は、下りリンク共用チャネル（ＤＬ−ＳＣＨ）とマルチキャストチャネル（ＭＣＨ）にマッピングされる。マルチキャストトラフィックチャネル（ＭＴＣＨ）は、下りリンク共用チャネル（ＤＬ−ＳＣＨ）とマルチキャストチャネル（ＭＣＨ）にマッピングされる。
【００４８】
なお、マルチキャスト制御チャネル（ＭＣＣＨ）およびマルチキャストトラフィックチャネル（ＭＴＣＨ）からマルチキャストチャネル（ＭＣＨ）へのマッピングは、ＭＢＳＦＮ送信時に行われる。一方、ＳＣＰＴＭ送信時は、このマッピングは下りリンク共用チャネル（ＤＬ−ＳＣＨ）にマッピングされる。
【００４９】
一方、上りリンクにおいて次のように論理チャネルとトランスポートチャネルのマッピングが行われる。共通制御チャネル（ＣＣＣＨ）、専用制御チャネル（ＤＣＣＨ）、専用トラフィックチャネル（ＤＴＣＨ）は、上りリンク共用チャネル（ＵＬ−ＳＣＨ）にマッピングされる。ランダムアクセスチャネル（ＲＡＣＨ）は、論理チャネルにマッピングされない。
次に、本発明の第１の実施形態による無線通信システムで用いるフレームの構成について説明する。
【００５０】
図４は、本発明の第１の実施形態による無線通信システムの下りリンクで用いるフレーム構成を示す図である。また、図５は、本発明の第１の実施形態による無線通信システムの上りリンクで用いるフレーム構成を示す図である。図４及び図５において、横軸は時間を示しており、縦軸は周波数を示している。
システムフレーム番号（ＳＦＮ：Ｓｙｓｔｅｍ  Ｆｒａｍｅ  Ｎｕｍｂｅｒ）で識別される無線フレームは１０ミリ秒（１０ｍｓ）で構成されている。また、１サブフレームは１ミリ秒（１ｍｓ）で構成されている。無線フレームには１０個のサブフレーム＃Ｆ０〜＃Ｆ９が含まれる。
【００５１】
図４に示すように、下りリンクで用いる無線フレームには、物理制御フォーマット指示チャネル（ＰＣＦＩＣＨ）Ａ１１、物理ハイブリッド自動再送要求指示チャネル（ＰＨＩＣＨ）Ａ１２、物理下りリンク制御チャネル（ＰＤＣＣＨ）Ａ１３、物理下りリンク同期信号Ａ１４、物理報知チャネル（ＰＢＣＨ）Ａ１５、物理下りリンク共用チャネル（ＰＤＳＣＨ）／物理マルチキャストチャネル（ＰＭＣＨ）Ａ１６、下りリンク参照信号Ａ１７が配置されている。
【００５２】
図５に示すように、上りリンクで用いる無線フレームには、物理ランダムアクセスチャネル（ＰＲＡＣＨ）Ａ２１、物理上りリンク制御チャネル（ＰＵＣＣＨ）Ａ２２、物理上りリンク共用チャネル（ＰＵＳＣＨ）Ａ２３、上りリンク復調用参照信号Ａ２４、上りリンク測定用参照信号Ａ２５が配置されている。
【００５３】
１サブフレーム（例えば、サブフレーム＃Ｆ０）は、２つのスロット＃Ｓ０、＃Ｓ１に分離される。通常のサイクリックプレフィックス（ｎｏｒｍａｌ  ＣＰ）が使用される場合、下りリンクのスロットは７個のＯＦＤＭシンボルで構成され（図４参照）、上りリンクのスロットは７個のＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）シンボルで構成される（図５参照）。
なお、拡張ＣＰ（ｌｏｎｇ  ＣＰ、または、ｅｘｔｅｎｄｅｄ  ＣＰとも称する）が使用される場合は、下りリンクのスロットは６個のＯＦＤＭシンボルで構成され、上りリンクのスロットは６個のＳＣ−ＦＤＭＡシンボルで構成される。
【００５４】
また、１つのスロットは周波数方向に複数のブロックに分割される。１５ｋＨｚのサブキャリア１２本を周波数方向の単位として、１個の物理リソースブロック（ＰＲＢ）を構成する。物理リソースブロック（ＰＲＢ）数は、システム帯域幅に応じて、６個から１１０個までサポートされる。図４、図５では、物理リソースブロック（ＰＲＢ）数が２５個の場合を示す。なお、上りリンクと下りリンクで異なるシステム帯域幅を使用しても良い。また、アグリゲーションにより、全システム帯域幅を１１０個以上にしても良い。
下りリンク、上りリンクのリソース割り当ては、時間方向にサブフレーム単位かつ周波数方向に物理リソースブロック（ＰＲＢ）単位で行われる。すなわち、サブフレーム内の２つのスロットは、一つのリソース割り当て信号で割り当てられる。
【００５５】
サブキャリアとＯＦＤＭシンボルまたはサブキャリアとＳＣ−ＦＤＭＡシンボルで構成される単位をリソースエレメントと称する。物理層でのリソースマッピング処理で各リソースエレメントに対して変調シンボルなどがマッピングされる。
【００５６】
下りリンクトランスポートチャネルの物理層での処理では、物理下りリンク共用チャネル（ＰＤＳＣＨ）に対する２４ビットの巡回冗長検査（ＣＲＣ：Ｃｙｃｌｉｃ  Ｒｅｄｕｎｄａｎｃｙ  Ｃｈｅｃｋ）の付与、チャネルコーディング（伝送路符号化）、物理層ＨＡＲＱ処理、チャネルインターリービング、スクランブリング、変調（ＱＰＳＫ（Ｑｕａｄｒａｔｕｒｅ  Ｐｈａｓｅ  Ｓｈｉｆｔ  Ｋｅｙｉｎｇ：４相位相偏移変調）、１６ＱＡＭ（Ｑｕａｄｒａｔｕｒｅ  Ａｍｐｌｉｔｕｄｅ  Ｍｏｄｕｌａｔｉｏｎ：直交振幅変調）、６４ＱＡＭ）、レイヤマッピング、プレコーディング、リソースマッピング、アンテナマッピングなどが行われる。
【００５７】
一方、上りリンクトランスポートチャネルの物理層での処理では、物理上りリンク共用チャネル（ＰＵＳＣＨ）に対する２４ビットの巡回冗長検査（ＣＲＣ）の付与、チャネルコーディング（伝送路符号化）、物理層ＨＡＲＱ処理、スクランブリング、変調（ＱＰＳＫ、１６ＱＡＭ、６４ＱＡＭ）、リソースマッピング、アンテナマッピングなどが行われる。
【００５８】
物理下りリンク制御チャネル（ＰＤＣＣＨ）、物理ハイブリッド自動再送要求指示チャネル（ＰＨＩＣＨ）および物理制御フォーマット指示チャネル（ＰＣＦＩＣＨ）は、最初の３ＯＦＤＭシンボル以下に配置される。
物理下りリンク制御チャネル（ＰＤＣＣＨ）では、下りリンク共用チャネル（ＤＬ−ＳＣＨ）およびページングチャネル（ＰＣＨ）に対するトランスポートフォーマット、リソース割り当て、ＨＡＲＱ情報が送信される。トランスポートフォーマットは、変調方式、符号化方式、トランスポートブロックサイズなどを規定する。
【００５９】
また、物理下りリンク制御チャネル（ＰＤＣＣＨ）では、上りリンク共用チャネル（ＵＬ−ＳＣＨ）に対するトランスポートフォーマット、リソース割り当て、ＨＡＲＱ情報が送信される。
また、複数の物理下りリンク制御チャネル（ＰＤＣＣＨ）がサポートされ、移動局装置は、物理下りリンク制御チャネル（ＰＤＣＣＨ）のセットをモニタリングする。
【００６０】
物理下りリンク制御チャネル（ＰＤＣＣＨ）で割り当てられた物理下りリンク共用チャネル（ＰＤＳＣＨ）は、物理下りリンク制御チャネル（ＰＤＣＣＨ）と同一のサブフレームにマッピングされる。
物理下りリンク制御チャネル（ＰＤＣＣＨ）で割り当てられた物理上りリンク共用チャネル（ＰＵＳＣＨ）は、予め定められた位置のサブフレームにマッピングされる。例えば、物理下りリンク制御チャネル（ＰＤＣＣＨ）の下りリンクサブフレーム番号がＮの場合、Ｎ＋４番の上りリンクサブフレームにマッピングされる。
また、物理下りリンク制御チャネル（ＰＤＣＣＨ）による上り／下りリンクのリソース割り当てにおいて、移動局装置は、１６ビットのＭＡＣ層識別情報（ＭＡＣ  ＩＤ）を用いて特定される。すなわち、この１６ビットのＭＡＣ層識別情報（ＭＡＣ  ＩＤ）が物理下りリンク制御チャネル（ＰＤＣＣＨ）に含まれる。
【００６１】
また、下りリンク状態の測定用および下りリンクデータの復調用に使用される下りリンク参照信号（下りリンクパイロットチャネル）は、各スロットの１番目、２番目、後ろから３番目のＯＦＤＭシンボルに配置される。
一方、物理上りリンク共用チャネル（ＰＵＳＣＨ）の復調用に使用される上りリンク復調用参照信号（復調用パイロット（ＤＲＳ：Ｄｅｍｏｄｕｌａｔｉｏｎ  Ｒｅｆｅｒｅｎｃｅ  Ｓｉｇｎａｌ））は、各スロットの４番目のＳＣ−ＦＤＭＡシンボルで送信される。
また、上りリンク状態の測定用に使用される上りリンク測定用参照信号（スケジューリング用パイロット（ＳＲＳ：Ｓｏｕｎｄｉｎｇ  Ｒｅｆｅｒｅｎｃｅ  Ｓｉｇｎａｌ））は、サブフレームの最後のＳＣ−ＦＤＭＡシンボルで送信される。
物理上りリンク制御チャネル（ＰＵＣＣＨ）の復調用参照信号は、物理上りリンク制御チャネルのフォーマットごとに定義され、各スロットの３、４および５番目、または、各スロットの２番目および６番目のＳＣ−ＦＤＭＡシンボルで送信される。
【００６２】
また、物理報知チャネル（ＰＢＣＨ）、下りリンク同期信号は、システム帯域の中心６物理リソースブロック分の帯域に配置される。物理下りリンク同期信号は、１番目（サブフレーム＃Ｆ０）および５番目（サブフレーム＃Ｆ４）のサブフレームの各スロットの６番目、７番目のＯＦＤＭシンボルで送信される。
物理報知チャネル（ＰＢＣＨ）は、１番目のサブフレーム（サブフレーム＃Ｆ０）の１番目のスロット（スロット＃Ｓ０）の４番目、５番目のＯＦＤＭシンボルと２番目のスロット（スロット＃Ｓ１）の１番目、２番目のＯＦＤＭシンボルで送信される。
【００６３】
また、物理ランダムアクセスチャネル（ＰＲＡＣＨ）は、周波数方向に６個の物理リソースブロック分の帯域幅、時間方向に１サブフレームで構成される。移動局装置から基地局装置にさまざまな理由で要求（上りリンクリソースの要求、上りリンク同期の要求、下りリンクデータ送信再開要求、ハンドオーバー要求、接続設定要求、再接続要求、ＭＢＭＳサービス要求など）を行うために送信される。
【００６４】
物理上りリンク制御チャネル（ＰＵＣＣＨ）は、システム帯域の両端に配置され、物理リソースブロック単位で構成される。スロット間でシステム帯域の両端が交互に使用されるように周波数ホッピングが行われる。
【００６５】
図６は、本発明の第１の実施形態による基地局装置１００の構成を示す概略ブロック図である。基地局装置１００は、データ制御部１０１ａ、ＯＦＤＭ変調部１０２ａ、無線部１０３ａ、スケジューリング部１０４、チャネル推定部１０５、ＤＦＴ−Ｓ−ＯＦＤＭ（ＤＦＴ−Ｓｐｒｅａｄ−ＯＦＤＭ）復調部１０６、データ抽出部１０７、上位層１０８、アンテナ部Ａ１を備えている。
無線部１０３ａ、スケジューリング部１０４、チャネル推定部１０５、ＤＦＴ−Ｓ−ＯＦＤＭ復調部１０６、データ抽出部１０７、上位層１０８およびアンテナ部Ａ１は、受信部を構成する。また、データ制御部１０１ａ、ＯＦＤＭ変調部１０２ａ、無線部１０３ａ、スケジューリング部１０４、上位層１０８およびアンテナ部Ａ１は、送信部を構成する。
【００６６】
アンテナ部Ａ１、無線部１０３ａ、チャネル推定部１０５、ＤＦＴ−Ｓ−ＯＦＤＭ復調部１０６およびデータ抽出部１０７は、上りリンクの物理層の処理を行う。アンテナ部Ａ２、データ制御部１０１ａ、ＯＦＤＭ変調部１０２ａおよび無線部１０３ａは、下りリンクの物理層の処理を行う。
データ制御部１０１ａは、スケジューリング部１０４からトランスポートチャネルを取得する。データ制御部１０１ａは、トランスポートチャネルと、スケジューリング部１０４から入力されるスケジューリング情報に基づいて物理層で生成される信号およびチャネルを、スケジューリング部１０４から入力されるスケジューリング情報に基づいて、物理チャネルにマッピングする。以上のようにマッピングされた各データは、ＯＦＤＭ変調部１０２ａに出力される。
【００６７】
ＯＦＤＭ変調部１０２ａは、データ制御部１０１ａから入力されたデータに対して、スケジューリング部１０４から入力されるスケジューリング情報（下りリンク物理リソースブロック（ＰＲＢ）割り当て情報（例えば、周波数、時間など物理リソースブロック位置情報）や、各下りリンク物理リソースブロック（ＰＲＢ）に対応する変調方式および符号化方式（例えば、１６ＱＡＭ変調、２／３コーディングレート）などを含む）に基づいて、符号化、データ変調、入力信号の直列／並列変換、ＩＦＦＴ（Ｉｎｖｅｒｓｅ  Ｆａｓｔ  Ｆｏｕｒｉｅｒ  Ｔｒａｎｓｆｏｒｍ：逆高速フーリエ変換）処理、サイクリックプレフィックス（ＣＰ）の挿入、並びに、フィルタリングなどＯＦＤＭ信号処理を行い、ＯＦＤＭ信号を生成して、無線部１０３ａに出力する。
【００６８】
無線部１０３ａは、ＯＦＤＭ変調部１０２ａから入力された変調データを無線周波数にアップコンバートして無線信号を生成し、アンテナ部Ａ１を介して、移動局装置２００（後述する図７参照）に送信する。また、無線部１０３ａは、移動局装置２００からの上りリンクの無線信号を、アンテナ部Ａ１を介して受信し、ベースバンド信号にダウンコンバートして、受信データをチャネル推定部１０５とＤＦＴ−Ｓ−ＯＦＤＭ復調部１０６とに出力する。
【００６９】
スケジューリング部１０４は、媒体アクセス制御（ＭＡＣ：Ｍｅｄｉｕｍ  Ａｃｃｅｓｓ  Ｃｏｎｔｒｏｌ）層の処理を行う。スケジューリング部１０４は、論理チャネルとトランスポートチャネルのマッピング、下りリンクおよび上りリンクのスケジューリング（ＨＡＲＱ処理、トランスポートフォーマットの選択など）などを行う。スケジューリング部１０４は、各物理層の処理部を統合して制御するため、スケジューリング部１０４と、アンテナ部Ａ１、無線部１０３ａ、チャネル推定部１０５、ＤＦＴ−Ｓ−ＯＦＤＭ復調部１０６、データ制御部１０１ａ、ＯＦＤＭ変調部１０２ａおよびデータ抽出部１０７との間のインターフェースを有する。ただし、図６では、図示を省略している。
【００７０】
スケジューリング部１０４は、下りリンクのスケジューリングでは、移動局装置２００から受信したフィードバック情報（下りリンクのチャネルフィードバックレポート（チャネル品質（ＣＱＩ）、ストリームの数（ＲＩ）、プレコーディング情報（ＰＭＩ）など））や、下りリンクデータに対するＡＣＫ／ＮＡＣＫフィードバック情報など）、各移動局装置の使用可能な下りリンク物理リソースブロック（ＰＲＢ）の情報、バッファ状況、上位層１０８から入力されたスケジューリング情報などに基づいて、各データを変調するための下りリンクのトランスポートフォーマット（送信形態）（物理リソースブロック（ＰＲＢ）の割り当ておよび変調方式および符号化方式など）の選定処理、ＨＡＲＱにおける再送制御および下りリンクのスケジューリングに使用されるスケジューリング情報を生成する。これら下りリンクのスケジューリングに使用されるスケジューリング情報は、データ制御部１０１ａおよびデータ抽出部１０７に出力される。
【００７１】
また、スケジューリング部１０４は、上りリンクのスケジューリングでは、チャネル推定部１０５が出力する上りリンクのチャネル状態（無線伝搬路状態）の推定結果、移動局装置２００からのリソース割り当て要求、各移動局装置２００の使用可能な下りリンク物理リソースブロック（ＰＲＢ）の情報、上位層１０８から入力されたスケジューリング情報などに基づいて、各データを変調するための上りリンクのトランスポートフォーマット（送信形態）（物理リソースブロック（ＰＲＢ）の割り当ておよび変調方式および符号化方式など）の選定処理および上りリンクのスケジューリングに使用されるスケジューリング情報を生成する。
これら上りリンクのスケジューリングに使用されるスケジューリング情報は、データ制御部１０１ａおよびデータ抽出部１０７に出力される。
【００７２】
また、スケジューリング部１０４は、上位層１０８から入力された下りリンクの論理チャネルをトランスポートチャネルにマッピングし、データ制御部１０１ａに出力する。また、スケジューリング部１０４は、データ抽出部１０７から入力された上りリンクで取得した制御データとトランスポートチャンネルを、必要に応じて処理した後、上りリンクの論理チャネルにマッピングし、上位層１０８に出力する。
【００７３】
チャネル推定部１０５は、上りリンクデータの復調のために、上りリンク復調用参照信号（ＤＲＳ：Ｄｅｍｏｄｕｌａｔｉｏｎ  Ｒｅｆｅｒｅｎｃｅ  Ｓｉｇｎａｌ）から上りリンクのチャネル状態を推定し、その推定結果をＤＦＴ−Ｓ−ＯＦＤＭ復調部１０６に出力する。また、上りリンクのスケジューリングを行うために、上りリンク測定用参照信号（ＳＲＳ：Ｓｏｕｎｄｉｎｇ  Ｒｅｆｅｒｅｎｃｅ  Ｓｉｇｎａｌ）から上りリンクのチャネル状態を推定し、その推定結果をスケジューリング部１０４に出力する。
なお、上りリンクの通信方式は、ＤＦＴ−Ｓ−ＯＦＤＭ等のようなシングルキャリア方式を想定しているが、ＯＦＤＭ方式のようなマルチキャリア方式を用いても良い。
【００７４】
ＤＦＴ−Ｓ−ＯＦＤＭ復調部１０６は、チャネル推定部１０５から入力された上りリンクのチャネル状態推定結果に基づいて、無線部１０３ａから入力された変調データに対し、ＤＦＴ（Ｄｉｓｃｒｅｔｅ  Ｆｏｕｒｉｅｒ  Ｔｒａｎｓｆｏｒｍ：離散フーリエ変換）変換、サブキャリアマッピング、ＩＦＦＴ変換、フィルタリング等のＤＦＴ−Ｓ−ＯＦＤＭ信号処理を行って、復調処理を行い、データ抽出部１０７に出力する。
【００７５】
データ抽出部１０７は、スケジューリング部１０４からのスケジューリング情報に基づいて、ＤＦＴ−Ｓ−ＯＦＤＭ復調部１０６から入力されたデータに対して、正誤を確認し、確認結果（肯定信号ＡＣＫ／否定信号ＮＡＣＫ）をスケジューリング部１０４に出力する。
また、データ抽出部１０７は、スケジューリング部１０４から入力されるスケジューリング情報に基づいて、ＤＦＴ−Ｓ−ＯＦＤＭ復調部１０６から入力されたデータからトランスポートチャネルと物理層の制御データとに分離して、スケジューリング部１０４に出力する。
分離された制御データには、移動局装置２００から通知されたフィードバック情報（下りリンクのチャネルフィードバックレポート（ＣＱＩ、ＰＭＩ、ＲＩ）、下りリンクのデータに対するＡＣＫ／ＮＡＣＫフィードバック情報）などが含まれる。
【００７６】
上位層１０８は、パケットデータ統合プロトコル（ＰＤＣＰ：Ｐａｃｋｅｔ  Ｄａｔａ  Ｃｏｎｖｅｒｇｅｎｃｅ  Ｐｒｏｔｏｃｏｌ）層、無線リンク制御（ＲＬＣ：Ｒａｄｉｏ  Ｌｉｎｋ  Ｃｏｎｔｒｏｌ）層、無線リソース制御（ＲＲＣ：Ｒａｄｉｏ  Ｒｅｓｏｕｒｃｅ  Ｃｏｎｔｒｏｌ）層の処理を行う。上位層１０８は、下位層の処理部を統合して制御するため、上位層１０８と、スケジューリング部１０４、アンテナ部Ａ１、無線部１０３ａ、チャネル推定部１０５、ＤＦＴ−Ｓ−ＯＦＤＭ復調部１０６、データ制御部１０１ａ、ＯＦＤＭ変調部１０２ａおよびデータ抽出部１０７との間のインターフェースを有する。ただし、図６では、図示を省略している。
上位層１０８は、無線リソース制御部１０９を有している。また、無線リソース制御部１０９は、各種設定情報の管理、システム情報の管理、ページング制御、各移動局装置の通信状態の管理、ハンドオーバーなどの移動管理、移動局装置ごとのバッファ状況の管理、ユニキャストおよびマルチキャストベアラの接続設定の管理、移動局識別子（ＵＥＩＤ）の管理などを行う。上位層１０８は、別の基地局装置への情報および上位ノードへの情報の送受信を行う。
【００７７】
図７は、本発明の第１の実施形態による移動局装置２００の構成を示す概略ブロック図である。移動局装置２００は、データ制御部２０１、ＤＦＴ−Ｓ−ＯＦＤＭ変調部２０２、無線部２０３ａ、スケジューリング部２０４、チャネル推定部２０５ａ、ＯＦＤＭ復調部２０６ａ、データ抽出部２０７ａ、上位層２０８、アンテナ部Ａ２を備えている。
データ制御部２０１、ＤＦＴ−Ｓ−ＯＦＤＭ変調部２０２、無線部２０３ａ、スケジューリング部２０４、上位層２０８およびアンテナ部Ａ２は、送信部を構成する。また、無線部２０３ａ、スケジューリング部２０４、チャネル推定部２０５ａ、ＯＦＤＭ復調部２０６ａ、データ抽出部２０７ａ、上位層２０８およびアンテナ部Ａ２は、受信部を構成する。また、スケジューリング部２０４は、選択部を構成する。
【００７８】
アンテナ部Ａ２、データ制御部２０１、ＤＦＴ−Ｓ−ＯＦＤＭ変調部２０２および無線部２０３ａは、上りリンクの物理層の処理を行う。アンテナ部Ａ２、無線部２０３ａ、チャネル推定部２０５ａ、ＯＦＤＭ復調部２０６ａおよびデータ抽出部２０７ａは、下りリンクの物理層の処理を行う。
データ制御部２０１は、スケジューリング部２０４からトランスポートチャネルを取得する。データ制御部２０１は、トランスポートチャネルと、スケジューリング部２０４から入力されるスケジューリング情報に基づいて物理層で生成される信号およびチャネルを、スケジューリング部２０４から入力されるスケジューリング情報に基づいて、物理チャネルにマッピングする。このようにマッピングされた各データは、ＤＦＴ−Ｓ−ＯＦＤＭ変調部２０２に出力される。
【００７９】
ＤＦＴ−Ｓ−ＯＦＤＭ変調部２０２は、データ制御部２０１から入力されたデータに対し、データ変調、ＤＦＴ処理、サブキャリアマッピング、逆高速フーリエ変換（ＩＦＦＴ）処理、サイクリックプレフィックス（ＣＰ）挿入、フィルタリングなどのＤＦＴ−Ｓ−ＯＦＤＭ信号処理を行い、ＤＦＴ−Ｓ−ＯＦＤＭ信号を生成して、無線部２０３ａに出力する。
なお、上りリンクの通信方式は、ＤＦＴ−Ｓ−ＯＦＤＭ等のようなシングルキャリア方式を想定しているが、代わりにＯＦＤＭ方式のようなマルチキャリア方式を用いても良い。
【００８０】
無線部２０３ａは、ＤＦＴ−Ｓ−ＯＦＤＭ変調部２０２から入力された変調データを無線周波数にアップコンバートして無線信号を生成し、アンテナ部Ａ２を介して、基地局装置１００（図６）に送信する。
また、無線部２０３ａは、基地局装置１００からの下りリンクのデータで変調された無線信号を、アンテナ部Ａ２を介して受信し、ベースバンド信号にダウンコンバートして、受信データを、チャネル推定部２０５ａおよびＯＦＤＭ復調部２０６ａに出力する。
【００８１】
スケジューリング部２０４は、媒体アクセス制御層の処理を行う。スケジューリング部２０４は、論理チャネルとトランスポートチャネルのマッピング、下りリンクおよび上りリンクのスケジューリング（ＨＡＲＱ処理、トランスポートフォーマットの選択など）などを行う。スケジューリング部１０４は、各物理層の処理部を統合して制御するため、スケジューリング部１０４と、アンテナ部Ａ２、データ制御部２０１、ＤＦＴ−Ｓ−ＯＦＤＭ変調部２０２、チャネル推定部２０５ａ、ＯＦＤＭ復調部２０６ａ、データ抽出部２０７ａおよび無線部２０３ａとの間のインターフェースを有する。ただし、図７では、図示を省略している。
【００８２】
スケジューリング部２０４は、下りリンクのスケジューリングでは、基地局装置１００や上位層２０８からのスケジューリング情報（トランスポートフォーマットやＨＡＲＱ再送情報）などに基づいて、トランスポートチャネルおよび物理信号および物理チャネルの受信制御、ＨＡＲＱ再送制御および下りリンクのスケジューリングに使用されるスケジューリング情報を生成する。これら下りリンクのスケジューリングに使用されるスケジューリング情報は、データ制御部２０１およびデータ抽出部２０７ａに出力される。
【００８３】
スケジューリング部２０４は、上りリンクのスケジューリングでは、上位層２０８から入力された上りリンクのバッファ状況、データ抽出部２０７ａから入力された基地局装置１００からの上りリンクのスケジューリング情報、および、上位層２０８から入力されたスケジューリング情報などに基づいて、上位層２０８から入力された上りリンクの論理チャネルをトランスポートチャネルにマッピングするためのスケジューリング処理および上りリンクのスケジューリングに使用されるスケジューリング情報を生成する。スケジューリング情報は、トランスポートフォーマットやＨＡＲＱ再送情報などである。
なお、上りリンクのトランスポートフォーマットについては、基地局装置１００から通知された情報を利用する。これらスケジューリング情報は、データ制御部２０１およびデータ抽出部２０７ａに出力される。
【００８４】
また、スケジューリング部２０４は、上位層２０８から入力された上りリンクの論理チャネルをトランスポートチャネルにマッピングし、データ制御部２０１に出力する。また、スケジューリング部２０４は、チャネル推定部２０５ａから入力された下りリンクのチャネルフィードバックレポート（ＣＱＩ、ＰＭＩ、ＲＩ）や、データ抽出部２０７ａから入力されたＣＲＣ確認結果についても、データ制御部２０１に出力する。
また、スケジューリング部２０４は、データ抽出部２０７ａから入力された下りリンクで取得した制御データとトランスポートチャネルを、必要に応じて処理した後、下りリンクの論理チャネルにマッピングし、上位層２０８に出力する。
【００８５】
チャネル推定部２０５ａは、下りリンクデータの復調のために、下りリンク参照信号（ＲＳ）から下りリンクのチャネル状態を推定し、その推定結果をＯＦＤＭ復調部２０６ａに出力する。
また、チャネル推定部２０５ａは、基地局装置１００に下りリンクのチャネル状態（無線伝搬路状態）の推定結果を通知するために、下りリンク参照信号（ＲＳ）から下りリンクのチャネル状態を推定し、この推定結果を下りリンクのチャネルフィードバックレポート（チャネル品質情報など）に変換して、スケジューリング部２０４に出力する。
【００８６】
ＯＦＤＭ復調部２０６ａは、チャネル推定部２０５ａから入力された下りリンクのチャネル状態推定結果に基づいて、無線部２０３ａから入力された変調データに対して、ＯＦＤＭ復調処理を行い、データ抽出部２０７ａに出力する。
データ抽出部２０７ａは、ＯＦＤＭ復調部２０６ａから入力されたデータに対して、巡回冗長検査（ＣＲＣ）を行い、正誤を確認し、確認結果（ＡＣＫ／ＮＡＣＫフィードバック情報）をスケジューリング部２０４に出力する。
【００８７】
また、データ抽出部２０７ａは、スケジューリング部２０４からのスケジューリング情報に基づいて、ＯＦＤＭ復調部２０６ａから入力されたデータからトランスポートチャネルと物理層の制御データに分離して、スケジューリング部２０４に出力する。分離された制御データには、下りリンクまたは上りリンクのリソース割り当てや上りリンクのＨＡＲＱ制御情報などのスケジューリング情報が含まれる。このとき、物理下りリンク制御信号（ＰＤＣＣＨ）の検索空間（検索領域とも称する）をデコード処理し、自局宛の下りリンクまたは上りリンクのリソース割り当てなどを抽出する。
【００８８】
上位層２０８は、パケットデータ統合プロトコル（ＰＤＣＰ：Ｐａｃｋｅｔ  Ｄａｔａ  Ｃｏｎｖｅｒｇｅｎｃｅ  Ｐｒｏｔｏｃｏｌ）層、無線リンク制御（ＲＬＣ：Ｒａｄｉｏ  Ｌｉｎｋ  Ｃｏｎｔｒｏｌ）層、無線リソース制御（ＲＲＣ：Ｒａｄｉｏ  Ｒｅｓｏｕｒｃｅ  Ｃｏｎｔｒｏｌ）層の処理を行う。上位層２０８は、無線リソース制御部２０９を有する。上位層２０８は、下位層の処理部を統合して制御するため、上位層２０８と、スケジューリング部２０４、アンテナ部Ａ２、データ制御部２０１、ＤＦＴ−Ｓ−ＯＦＤＭ変調部２０２、チャネル推定部２０５ａ、ＯＦＤＭ復調部２０６ａ、データ抽出部２０７ａおよび無線部２０３ａとの間のインターフェースを有する。ただし、図７では、図示を省略している。
【００８９】
無線リソース制御部２０９は、各種設定情報の管理、システム情報の管理、ページング制御、自局の通信状態の管理、ハンドオーバーなどの移動管理、バッファ状況の管理、ユニキャストおよびマルチキャストベアラの接続設定の管理、移動局識別子（ＵＥＩＤ）を管理する。
【００９０】
図８は、本発明の第１の実施形態による基地局装置１００（図６）の送信部に関するデータ制御部１０１ａ、ＯＦＤＭ変調部１０２ａ、無線部１０３ａの構成を示す概略ブロック図である。ここでは、基地局装置１００（図６）において、下りリンクに周波数アグリゲーションを適用する場合について説明する。
データ制御部１０１ａは、物理マッピング部３０１、参照信号生成部３０２、同期信号生成部３０３を備えている。参照信号生成部３０２は、下りリンク参照信号を生成し、物理マッピング部３０１に出力する。同期信号生成部３０３は同期信号を生成し、物理マッピング部３０１に出力する。
【００９１】
物理マッピング部３０１は、スケジューリング情報に基づいて、トランスポートチャネルを各物理リソースブロック（ＰＲＢ）にマッピングするとともに、参照信号生成部３０２において生成された参照信号と、同期信号生成部３０３において生成された同期信号を物理フレームに多重する。
このとき、スケジューリング情報にはシステム帯域幅に関連する情報が含まれる。物理マッピング部３０１は、システム帯域Ｗ１内のＮ１ＷＰＲＢの帯域に配置された物理リソースブロック（ＰＲＢ）およびシステム帯域Ｗ２内のＮ２ＷＰＲＢの帯域に配置された物理リソースブロック（ＰＲＢ）にトランスポートチャネルをマッピングし、システム帯域Ｗ１およびシステム帯域Ｗ２以外の帯域およびガードバンドにおけるサブキャリアにヌル信号を挿入する。また、物理マッピング部３０１は、システム帯域幅に関連する情報を含む物理報知チャネルをマッピングする。
【００９２】
ＯＦＤＭ変調部１０２ａは、変調部３０４、ＩＦＦＴ部３０５、ＣＰ挿入部３０６を備えている。
変調部３０４は、物理フレームの各リソースエレメントにマッピングされた情報をＱＰＳＫ変調／１６ＱＡＭ変調／６４ＱＡＭ変調などの変調方式に基づいて変調して変調シンボルを生成し、ＩＦＦＴ部３０５に出力する。
ＩＦＦＴ部３０５は、変調部３０４において生成された変調シンボル（周波数方向と時間方向の平面上に並べられた変調シンボル）を逆高速フーリエ変換（ＩＦＦＴ）して周波数領域の信号を時間領域の信号に変換し、ＣＰ挿入部３０６に出力する。
ＣＰ挿入部３０６は、時間領域の信号にサイクリックプレフィックス（ＣＰ）を挿入し、ＯＦＤＭシンボルを生成し、無線部１０３ａのＤ／Ａ変換部３０７に出力する。
【００９３】
無線部１０３ａは、Ｄ／Ａ変換部３０７、無線送信部３０８を備えている。
Ｄ／Ａ変換部３０７は、デジタル信号であるＣＰ挿入部３０６の出力のＯＦＤＭシンボル系列をアナログ信号に変換し、無線送信部３０８に出力する。
無線送信部３０８は、図９に示したキャリア周波数ｆを用いてアナログ信号を無線周波数にアップコンバートし、アンテナ部Ａ１を介して、生成した信号を移動局装置２００（図７）に送信する。なお、図９において、横軸は周波数を示している。また、図９では、基地局装置１００から移動局装置２００に、システム帯域Ｗ１とシステム帯域Ｗ２とを用いて信号を基地局装置１００から移動局装置２００に送信する場合を示している。
【００９４】
図１０は、本発明の第１の実施形態による移動局装置２００（図７）の受信部に関する無線部２０３ａ、チャネル推定部２０５ａ、ＯＦＤＭ復調部２０６ａ、データ抽出部２０７ａの構成を示す概略ブロック図である。ここでは、移動局装置２００において、下りリンクに周波数アグリゲーションを適用する場合について説明する。
無線部２０３ａは、無線受信部４０１、Ａ／Ｄ変換部４０２を備えている。
無線受信部４０１は、アンテナ部Ａ２を介して基地局装置１００（図６）から信号を受信し、受信した信号を図９に示したキャリア周波数ｆを用いてベースバンドにダウンコンバートする。また、無線受信部４０１は、セル選択、セル再選択処理によって、予め信号に挿入されている同期信号を参照して、同期を取り、スケジューリング部１０４または上位層から通知されるシステム帯域に関する情報を用いて、システム帯域Ｗ１とシステム帯域Ｗ２における接続を設定し、接続を確立する。なお、無線受信部４０１は、デジタル信号を用いて同期を取る場合は、Ａ／Ｄ変換部４０２の出力を用いる。
【００９５】
Ａ／Ｄ変換部４０２は、無線受信部４０１の出力のアナログ信号をデジタル信号に変換し、チャネル推定部２０５ａと、ＯＦＤＭ復調部２０６ａのＣＰ除去部４０３に出力する。
ＯＦＤＭ復調部２０６ａは、ＣＰ除去部４０３、ＦＦＴ部４０４、復調部４０５を備えている。ＣＰ除去部４０３は、Ａ／Ｄ変換部４０２から出力されたデジタル信号のうち、サイクリックプレフィックス（ＣＰ）の部分を除去する。
ＣＰ除去部４０３においてサイクリックプレフィックス（ＣＰ）を除去された時間領域の信号は、ＦＦＴ部４０４において各リソースエレメントにおける変調シンボル（周波数方向と時間方向の平面上に並べられた変調シンボル）に変換される。
【００９６】
復調部４０５は、変換された変調シンボルに対して、伝搬路推定部２０５ａにおいて推定された伝搬路推定値を参照しながら、変調部３０４で用いた変調方式に対応する復調処理を行い、ビット系列（あるいはビットにおける尤度情報など）を取得する。
セル選択、セル再選択処理によって、物理報知チャネル内の情報を用いて、データ抽出の準備および設定をする場合、データ抽出部２０７ａは、物理報知チャネルを含む帯域の物理リソースブロック（ＰＲＢ）から報知情報を抽出して、システム帯域Ｗ１とシステム帯域Ｗ２におけるデータ抽出の準備および設定をする。
あるいは、報知情報を一旦スケジューリング部１０４、またはスケジューリング部１０４を介して上位層に通知し、これらの指示に基づいて、システム帯域Ｗ１とシステム帯域Ｗ２におけるデータ抽出の設定を行う。このとき、スケジューリング部１０４または上位層は、無線受信部４０１にシステム帯域に関する情報を通知する。
【００９７】
システム帯域Ｗ１とシステム帯域Ｗ２におけるデータ抽出の設定がすでに行われ、データを受信する（通常の通信を行う）場合、データ抽出部２０７ａは、各物理リソースブロック（ＰＲＢ）をトランスポートチャネルにマッピングする。このとき、データ抽出部２０７ａは、システム帯域Ｗ１およびシステム帯域Ｗ２以外の帯域およびガードバンドにおけるサブキャリアにおける信号を除去し、トランスポートチャネルにシステム帯域Ｗ１内のＮ１ＷＰＲＢの帯域に配置された物理リソースブロック（ＰＲＢ）およびシステム帯域Ｗ２内のＮ２ＷＰＲＢの帯域に配置された物理リソースブロック（ＰＲＢ）をマッピングする。
なお、第１の実施形態の変形例として図１２に示すような基地局装置の構成や、図１３に示すような移動局装置の構成を用いても良い。ただし、これらの構成を用いる場合は、図１１に示したようなキャリア周波数ｆ’１、ｆ’２を用いる。
【００９８】
図１１は、本発明の第１の実施形態による無線通信システムで用いる帯域の一例を示す図である。図１１において、横軸は周波数を示している。本変形例では、システム帯域Ｗ’１とシステム帯域Ｗ’２の周波数を用いて、基地局装置から移動局装置に信号を送信する。システム帯域Ｗ’１のキャリア周波数はｆ’１であり、システム帯域Ｗ’２のキャリア周波数はｆ’２である。
【００９９】
なお、基地局装置は、１つのシステム帯域のみを用いて移動局装置に信号を送信しても良い。その場合は、第１の実施形態の基地局装置１００（図６）と同様の構成を用いれば良い。本変形例に係るサブフレーム構成は、図４に示した構成と同様の構成を用いることができる。
システム帯域のいずれか（ここではシステム帯域Ｗ’１）に同期用の信号である同期信号と、物理報知情報を含むチャネルである物理報知チャネルが挿入される。
移動局装置では、まず同期信号を探索してフレーム同期を取るとともに、物理報知チャネル内の情報を取得する。物理報知チャネル内の情報には、システム帯域を示す情報（システム帯域Ｗ’２を含むアグリゲーションリソースの領域に関する情報）が含まれており、この情報を用いて、システム帯域Ｗ’１とシステム帯域Ｗ’２とを受信する。
【０１００】
このとき、システム帯域Ｗ’１にＮ１個の、システム帯域Ｗ’２にＮ２個の物理リソースブロック（ＰＲＢ）を配置する。これにより、いずれの物理リソースブロック（ＰＲＢ）においても、物理リソースブロック（ＰＲＢ）の内部で伝搬路特性は連続となる。このため、伝搬路推定や受信品質測定の精度が劣化することを防ぐことができる。
【０１０１】
図１２は、本発明の第１の実施形態の変形例による基地局装置のデータ制御部１０１ｂ、ＯＦＤＭ変調部１０２ｂ、無線部１０３ｂの構成を示す概略ブロック図である。ここでは、基地局装置において、下りリンクに周波数アグリゲーションを適用する場合について説明する。
第１の実施形態の変形例による基地局装置は、第１の実施形態による基地局装置１００のデータ制御部１０１ａ、ＯＦＤＭ変調部１０２ａ、無線部１０３ａ（図８）の代わりに、データ制御部１０１ｂ、ＯＦＤＭ変調部１０２ｂ、無線部１０３ｂを備えている。
【０１０２】
データ制御部１０１ｂは、物理マッピング部５０１、参照信号生成部５０２、同期信号生成部５０３を備えている。
参照信号生成部５０２は、下りリンク参照信号を生成し、物理マッピング部５０１１に出力する。同期信号生成部５０３は、同期信号を生成し、物理マッピング部５０１に出力する。物理マッピング部５０１は、スケジューリング情報に基づいて、トランスポートチャネルを各物理リソースブロック（ＰＲＢ）にマッピングするとともに、参照信号生成部５０２において生成された参照信号と、同期信号生成部５０３において生成された同期信号を物理フレームに多重する。
このとき、スケジューリング情報にはシステム帯域幅Ｗ’１、Ｗ’２に関連する情報が含まれる。物理マッピング部５０１は、システム帯域Ｗ’１内のＮ１ＷＰＲＢの帯域に配置された物理リソースブロック（ＰＲＢ）およびシステム帯域Ｗ’２内のＮ２ＷＰＲＢの帯域に配置された物理リソースブロック（ＰＲＢ）にトランスポートチャネルをマッピングする。
【０１０３】
ＯＦＤＭ変調部１０２ｂは、変調部５０４−１、５０４−２、ＩＦＦＴ部５０５−１、５０５−２、ＣＰ挿入部５０６−１、５０６−２を備えている。
変調部５０４−１、ＩＦＦＴ部５０５−１、ＣＰ挿入部５０６−１は、システム帯域Ｗ’１におけるＮ１ＷＰＲＢの帯域に配置された物理リソースブロック（ＰＲＢ）に対する処理を行う。
変調部５０４−１は、物理フレームの各リソースエレメントにマッピングされた情報をＱＰＳＫ変調、１６ＱＡＭ変調、６４ＱＡＭ変調などの変調方式に基づいて変調して変調シンボルを生成し、ＩＦＦＴ部５０５−１に出力する。
【０１０４】
ＩＦＦＴ部５０５−１は、変調部５０４−１において生成された変調シンボル（周波数方向と時間方向の平面上に並べられた変調シンボル）を、逆高速フーリエ変換（ＩＦＦＴ）して周波数領域の信号を時間領域の信号に変換し、ＣＰ挿入部５０６−１に出力する。
ＣＰ挿入部５０６−１は、時間領域の信号にサイクリックプレフィックス（ＣＰ）を挿入し、ＯＦＤＭシンボルを生成して、無線部１０３ｂのＤ／Ａ変換部５０７−１に出力する。
【０１０５】
変調部５０４−２、ＩＦＦＴ部５０５−２、ＣＰ挿入部５０６−２は、システム帯域Ｗ’２におけるＮ２ＷＰＲＢの帯域に配置された物理リソースブロック（ＰＲＢ）に対する処理を行う。
変調部５０４−２は、物理フレームの各リソースエレメントにマッピングされた情報をＱＰＳＫ変調、１６ＱＡＭ変調、６４ＱＡＭ変調などの変調方式に基づいて変調して変調シンボルを生成して、ＩＦＦＴ部５０５−２に出力する。
ＩＦＦＴ部５０５−２は、変調部５０４−２において生成された変調シンボル（周波数方向と時間方向の平面上に並べられた変調シンボル）を逆高速フーリエ変換（ＩＦＦＴ）して、周波数領域の信号を時間領域の信号に変換し、ＣＰ挿入部５０６−２に出力する。
ＣＰ挿入部５０６−２は、時間領域の信号にサイクリックプレフィックス（ＣＰ）を挿入し、ＯＦＤＭシンボルを生成して、無線部１０３ｂのＤ／Ａ変換部５０７−２に出力する。
【０１０６】
無線部１０３ｂは、Ｄ／Ａ変換部５０７−１、５０７−２、無線送信部５０８−１、５０８−２を備えている。
Ｄ／Ａ変換部５０７−１、無線送信部５０８−１は、システム帯域Ｗ’１におけるＮ１ＷＰＲＢの帯域に配置された物理リソースブロック（ＰＲＢ）に対する処理を行う。
Ｄ／Ａ変換部５０７−１は、デジタル信号であるＣＰ挿入部５０６−１の出力のＯＦＤＭシンボル系列をアナログ信号に変換し、無線送信部５０８−１に出力する。
無線送信部５０８−１は、図１１に示したキャリア周波数Ｗ’１を用いてアナログ信号を無線周波数にアップコンバートし、アンテナ部Ａ１を介して、生成した信号を移動局装置に送信する。
【０１０７】
Ｄ／Ａ変換部５０７−２、無線送信部５０８−２は、システム帯域Ｗ’２におけるＮ２ＷＰＲＢの帯域に配置された物理リソースブロック（ＰＲＢ）に対する処理を行う。
Ｄ／Ａ変換部５０７−２は、デジタル信号であるＣＰ挿入部５０６−２の出力のＯＦＤＭシンボル系列をアナログ信号に変換し、無線送信部５０８−２に出力する。
無線送信部５０８−２は、図１１に示したキャリア周波数Ｗ’２を用いてアナログ信号を無線周波数にアップコンバートし、アンテナ部Ａ１を介して、生成した信号を移動局装置に送信する。
なお、ここでは、異なる信号に対して同様の処理を行うブロックを分けて説明しているが、１つの回路を共用しても良い。
【０１０８】
図１３は、本発明の第１の実施形態の変形例による移動局装置の無線部２０３ｂ、チャネル推定部２０５ｂ、ＯＦＤＭ復調部２０６ｂ、データ抽出部２０７ｂの構成を示す概略ブロック図である。ここでは、移動局装置において、下りリンクに周波数アグリゲーションを適用する場合について説明する。
図１３において、バンド毎チャネル推定部６０３−１が出力する信号は、復調部６０６−１に入力される。また、バンド毎チャネル推定部６０３−２が出力する信号は、復調部６０６−２に入力される。
また、第１の実施形態の変形例による移動局装置は、第１の実施形態による移動局装置２００の無線部２０３ａ、チャネル推定部２０５ａ、ＯＦＤＭ復調部２０６ａ、データ抽出部２０７ａ（図１０）の代わりに、無線部２０３ｂ、チャネル推定部２０５ｂ、ＯＦＤＭ復調部２０６ｂ、データ抽出部２０７ｂを備えている。
【０１０９】
無線部２０３ｂは、無線受信部６０１−１、６０１−２、Ａ／Ｄ変換部６０２−１、６０２−２を備えている。
無線受信部６０１−１は、アンテナ部Ａ２を介して信号を基地局装置から受信し、受信した信号を図１１に示したキャリア周波数ｆ’１を用いてベースバンドにダウンコンバートする。また、無線受信部６０１−１は、セル選択、セル再選択処理によって、予め信号に挿入されている同期信号を参照して、同期を取り、スケジューリング部２０４または上位層から通知されるシステム帯域に関する情報を用いて、システム帯域Ｗ’１における接続を設定し、接続を確立する。なお、無線受信部６０１−１は、デジタル信号を用いて同期を取る場合は、下記のＡ／Ｄ変換部６０２−１の出力を用いる。
Ａ／Ｄ変換部６０２−１は、無線受信部６０１−１の出力のアナログ信号をデジタル信号に変換し、チャネル推定部２０５ｂのバンド毎チャネル推定部６０３−１と、ＯＦＤＭ復調部２０６ｂのＣＰ除去部６０４−１に出力する。
【０１１０】
無線受信部６０１−２は、スケジューリング部２０４または上位層から通知されるシステム帯域に関する情報を用いて、システム帯域Ｗ’２における接続を設定し、接続を確立し、アンテナ部Ａ２を介して信号を基地局装置から受信し、無線受信部６０１−１において取ったフレーム同期のタイミングに基づいて、受信した信号を図１１に示したキャリア周波数ｆ’２を用いてベースバンドにダウンコンバートし、Ａ／Ｄ変換部６０２−２に出力する。
Ａ／Ｄ変換部６０２−２は、無線受信部６０１−２の出力のアナログ信号をデジタル信号に変換し、チャネル推定部２０５ｂのバンド毎チャネル推定部６０３−２と、ＯＦＤＭ復調部２０６ｂのＣＰ除去部６０４−２に出力する。
【０１１１】
チャネル推定部２０５ｂは、バンド毎チャネル推定部６０３−１、６０３−２を備えている。
バンド毎チャネル推定部６０３−１は、システム帯域Ｗ’１におけるＮ１ＷＰＲＢの帯域に配置された物理リソースブロック（ＰＲＢ）における参照信号を参照して、Ｎ１ＷＰＲＢの帯域に配置された物理リソースブロック（ＰＲＢ）におけるチャネル推定を行い、その推定結果をＯＦＤＭ復調部２０６ｂの復調部６０６−１に出力する。
バンド毎チャネル推定部６０３−２は、システム帯域Ｗ’２におけるＮ２ＷＰＲＢの帯域に配置された物理リソースブロック（ＰＲＢ）における参照信号を参照して、Ｎ２ＷＰＲＢの帯域に配置された物理リソースブロック（ＰＲＢ）におけるチャネル推定を行い、その推定結果をＯＦＤＭ復調部２０６ｂの復調部６０６−２に出力する。
【０１１２】
ＯＦＤＭ復調部２０６ｂは、ＣＰ除去部６０４−１、６０４−２、ＦＦＴ部６０５−１、６０５−２、復調部６０６−１、６０６−２を備えている。
ＣＰ除去部６０４−１、ＦＦＴ部６０５−１、復調部６０６−１は、システム帯域Ｗ’１におけるＮ１ＷＰＲＢの帯域に配置された物理リソースブロック（ＰＲＢ）に対する処理を行う。
ＣＰ除去部６０４−１は、Ａ／Ｄ変換部６０２−１から出力されたデジタル信号のうち、サイクリックプレフィックス（ＣＰ）部分を除去する。
【０１１３】
ＣＰ除去部６０４−１においてサイクリックプレフィックス（ＣＰ）を除去された時間領域の信号は、ＦＦＴ部６０５−１において各リソースエレメントにおける変調シンボル（周波数方向（Ｎ１ＷＰＲＢの帯域）と時間方向の平面上に並べられた変調シンボル）に変換され、ＦＦＴ部６０５−１に出力される。
復調部６０６−１は、変換された変調シンボルに対して、伝搬路推定部６０３−１において推定された伝搬路推定値を参照しながら、変調部５０４−１で用いた変調方式に対応する復調処理を行い、ビット系列（あるいはビットにおける尤度情報など）を取得する。
【０１１４】
ＣＰ除去部６０４−２、ＦＦＴ部６０５−２、復調部６０６−２は、システム帯域Ｗ’２におけるＮ２ＷＰＲＢの帯域に配置された物理リソースブロック（ＰＲＢ）に対する処理を行う。
ＣＰ除去部６０４−２は、Ａ／Ｄ変換部６０２−２から出力されたデジタル信号のうち、サイクリックプレフィックス（ＣＰ）部分を除去し、ＦＦＴ部６０５−２に出力する。
ＣＰ除去部６０４−２においてサイクリックプレフィックス（ＣＰ）を除去された時間領域の信号は、ＦＦＴ部６０５−２において各リソースエレメントにおける変調シンボル（周波数方向（Ｎ２ＷＰＲＢの帯域）と時間方向の平面上に並べられた変調シンボル）に変換され、復調部６０６−２に出力される。
【０１１５】
復調部６０６−２は、変換された変調シンボルに対して、伝搬路推定部６０３−２において推定された伝搬路推定値を参照しながら、変調部５０４−２で用いた変調方式に対応する復調処理を行い、ビット系列（あるいはビットにおける尤度情報など）を取得する。
セル選択、セル再選択処理によって、物理報知チャネル内の情報を用いて、データ抽出の準備および設定をする場合、データ抽出部２０７は、物理報知チャネルを含む帯域の物理リソースブロック（ＰＲＢ）から報知情報を抽出して、システム帯域Ｗ’１とシステム帯域Ｗ’２におけるデータ抽出の準備および設定をする。
あるいは、報知情報を一旦スケジューリング部２０４、またはスケジューリング部２０４を介して上位層に通知し、これらの指示に基づいて、システム帯域Ｗ’１とシステム帯域Ｗ’２におけるデータ抽出の準備および設定をする。このとき、スケジューリング部２０４または上位層は、無線受信部６０１−１、６０１−２にシステム帯域に関する情報を通知する。
【０１１６】
システム帯域Ｗ’１とシステム帯域Ｗ’２におけるデータ抽出の設定がすでに行われ、データを受信する（通常の通信を行う）場合、データ抽出部２０７ｂは、スケジューリング情報に基づいて、各物理リソースブロック（ＰＲＢ）をトランスポートチャネルにマッピングする。このとき、データ抽出部２０７ｂは、トランスポートチャネルに、復調部６０６−１の出力であるシステム帯域Ｗ’１内のＮ１ＷＰＲＢの帯域に配置された物理リソースブロック（ＰＲＢ）、および復調部６０６−２の出力であるシステム帯域Ｗ’２内のＮ２ＷＰＲＢの帯域に配置された物理リソースブロック（ＰＲＢ）をマッピングする。
なお、ここでは、異なる信号に対して同様の処理を行うブロックを分けて説明しているが、１つの回路を共用しても良い。
【０１１７】
第１の実施形態の説明に戻り、基地局装置１００と移動局装置２００の処理について説明する。
マスター領域とは、移動局装置２００が最初にアクセスする下りリンク周波数層（システム帯域）であり、移動局装置２００は、この領域の信号を取得した後、他の領域（スレーブ領域）にアクセス可能である。少なくとも下りリンク同期を取得可能な下りリンク同期信号（ＳＣＨ）が配置される。
スレーブ領域とは、移動局装置２００がマスター領域での情報を取得後にアクセスする下りリンク周波数層（システム帯域）である。
それぞれの移動局装置２００にとってのマスター領域およびスレーブ領域は異なっても良い。すなわち、ある移動局装置２００にとってのマスター領域が、別の移動局装置２００にとってのスレーブ領域となるように構成されても良い。その場合、ある移動局装置２００にとってのスレーブ領域においても下りリンク同期信号（ＳＣＨ）が配置される場合がある。スレーブ領域での特定のチャネル（下りリンク同期信号（ＳＣＨ）および／または物理下りリンク報知チャネル（ＰＢＣＨ）および／または報知制御チャネル（ＢＣＣＨ）および／またはページング制御チャネル（ＰＣＣＨ）および／または共通制御チャネル（ＣＣＣＨ）など）の有無については、マスター領域で基地局装置１００から移動局装置２００に報知される。
【０１１８】
マスター領域とスレーブ領域は、隣接したキャリア周波数に配置されても良いし、離れたキャリア周波数に配置されても良い。
物理下りリンク制御チャネル（ＰＤＣＣＨ）は、上りリンクおよび下りリンクのＰＲＢリソースの割当てを行う。マスター領域のＰＲＢのリソースを割り当てるフォーマットと、スレーブ領域のＰＲＢのリソースを割り当てるフォーマットと、マスター領域およびスレーブ領域両方のＰＲＢのリソースを割り当てるフォーマットが用意される。移動局装置２００は、マスター領域および／またはスレーブ領域へのアクセスが可能であることを検出したことに応じて、モニタリングする物理下りリンク制御チャネル（ＰＤＣＣＨ）のフォーマットを変更する。
または、物理下りリンク制御チャネル（ＰＤＣＣＨ）は、マスター領域またはスレーブ領域のみにアクセスする移動局装置２００へのフォーマットと、マスター領域およびスレーブ領域の両方にアクセスする移動局装置２００へのフォーマットが用意される。移動局装置２００は、マスター領域および／またはスレーブ領域へのアクセスが可能であることを検出したことに応じて、モニタリングする物理下りリンク制御チャネル（ＰＤＣＣＨ）のフォーマットを変更する。
【０１１９】
図１４（ｂ）は、本発明の第１の実施形態による無線通信システムの処理を示すシーケンス図である。
始めに、移動局装置２００は、セル選択やセル再選択処理によって、基地局装置１００から送信される下りリンク同期信号（ＳＣＨ：Ｓｙｎｃｈｒｏｎｉｚａｔｉｏｎ  Ｃｈａｎｎｅｌ）を取得し、下りリンクの同期処理を行う（ステップＳ１０１）。この際、下りリンク同期信号（ＳＣＨ）は、マスター領域Ｚ０１（図１４（ａ）参照）に配置される。
移動局装置２００は、マスター領域Ｚ０１で処理を行うように（マスター領域Ｚ０１で操作されるように）物理報知チャネル（ＰＢＣＨ）を取得する（ステップＳ１０２）。この際、物理報知チャネル（ＰＢＣＨ）から、スレーブ領域Ｚ０２（図１４（ａ）参照）を含むアグリゲーションリソースの領域に関する情報（マスター領域Ｚ０１のシステム帯域幅（リソースブロック数）および／またはスレーブ領域Ｚ０２のキャリア周波数やシステム帯域幅（リソースブロック数）などを示す情報、および／または移動局装置２００のバージョン情報など）を取得する。
【０１２０】
アグリゲーションリソースに関する情報には、マスター領域Ｚ０１とスレーブ領域Ｚ０２間、または全体のシステムに含まれる複数のシステム帯域間のガードバンドの幅を知るための情報が含まれる。ここでシステム帯域間のガードバンドの幅とは、システム帯域内に含まれるガードバンドを除いた有効帯域間の幅として定義される。すなわち、隣接するシステム内の有効リソースブロック間の帯域幅である。
【０１２１】
例えば、システム帯域ＳＷ１、システム帯域ＳＷ２、システム帯域ＳＷ３、システム帯域ＳＷ４で構成される場合、それぞれのガードバンドを含む帯域幅を、Ｗ１、Ｗ２、Ｗ３、Ｗ４、システム帯域間の帯域幅を、ＷＤ１−２、ＷＤ２−３、ＷＤ３−４とすると、それぞれのガードバンドを含まない有効帯域幅Ｎ１ＷＰＲＢ、Ｎ２ＷＰＲＢ、Ｎ３ＷＰＲＢ、Ｎ４ＷＰＲＢから自動的に計算される。このとき、ガードバンドを含むそれぞれのシステム帯域幅（マスター領域Ｚ０１の情報は省いても良い）とシステム帯域間の帯域幅、それぞれの有効帯域幅（マスター領域Ｚ０１の情報は省いても良い）が、アグリゲーションリソースの領域に関する情報に含まれる。
【０１２２】
図１５は、本発明の第１の実施形態で用いるシステム帯域の構成の一例を示す図である。図１５において、横軸は周波数を示している。また、図１５において、斜線を付した領域（例えば、領域Ｒ１１）には、ガードバンドが配置されている。例えば、図１５に示すように、システム帯域ＳＷ１、システム帯域ＳＷ２、システム帯域ＳＷ３、システム帯域ＳＷ４で構成される場合、それぞれのガードバンドを含む帯域幅Ｗ１、Ｗ２、Ｗ３、Ｗ４、システム帯域間の帯域幅ＷＤ１−２、ＷＤ２−３、ＷＤ３−４、それぞれのガードバンドを含まない有効帯域幅Ｎ１ＷＰＲＢ、Ｎ２ＷＰＲＢ、Ｎ３ＷＰＲＢ、Ｎ４ＷＰＲＢとする。この場合、それぞれのシステム帯域に含まれるガードバンドは、Ｗｉ−ＮｉＷＰＲＢから自動的に計算される。このとき、ガードバンドを含むそれぞれのシステム帯域幅（マスター領域Ｚ０１の情報は省いても良い）とシステム帯域間の帯域幅、それぞれの有効帯域幅（マスター領域の情報は省いても良い）が、アグリゲーションリソースの領域に関する情報に含まれる。
【０１２３】
図１６は、本発明の第１の実施形態で用いるシステム帯域の構成の他の一例を示す図である。図１６において、横軸は周波数を示している。また、図１６において、斜線を付した領域（例えば、領域Ｒ１２）には、ガードバンドが配置されている。例えば、図１６に示すように、システム帯域ＳＷ１、システム帯域ＳＷ２、システム帯域ＳＷ３、システム帯域ＳＷ４で構成される場合、それぞれの有効帯域幅Ｎ１ＷＰＲＢ、Ｎ２ＷＰＲＢ、Ｎ３ＷＰＲＢ、Ｎ４ＷＰＲＢと、システム帯域ＳＷ１及びシステム帯域ＳＷ２間のガードバンドＮＧ１−２ＷＰＲＢ、システム帯域ＳＷ２及びシステム帯域ＳＷ３間のガードバンドＮＧ２−３ＷＰＲＢ、システム帯域ＳＷ３及びシステム帯域ＳＷ４間のガードバンドＮＧ３−４ＷＰＲＢが報知される。なお、それぞれの帯域幅はリソースブロックの数Ｎｉの信号で表現されても良い。また、物理リソースブロック（ＰＲＢ）の個数であるＮ１、Ｎ２、Ｎ３、Ｎ４が同じ値の場合、一つの値Ｎｉのみ報知すれば良い。このガードバンドをＷＰＲＢの整数倍で構成することにより、受信機である移動局装置２００の処理が容易になる。また、ガードバンドＮＧ１−２、ＮＧ２−３、ＮＧ３−４が同じ値の場合、一つの値ＮＧのみ報知すれば良い。また、ガードバンドなしで移動局装置２００が受信できるような状況の場合、このガードバンドを０にしても良い。その場合、ＮＧ＝０として報知される。
【０１２４】
なお、これらのＷ１、Ｗ２、Ｗ３、Ｗ４、Ｎ１ＷＰＲ、Ｎ２ＷＰＲ、Ｎ３ＷＰＲＢ、Ｎ４ＷＰＲＢ、ＮＧ１−２ＷＰＲＢ、ＮＧ２−３ＷＰＲＢ、ＮＧ３−４ＷＰＲＢなどのすべて、または、それぞれを特定可能なインデックスを定義しても良い。そして、インデックスのみを報知し、そのインデックスから移動局装置２００が上記の値を特定するようにしても良い。
【０１２５】
アグリゲーションリソースに関する情報がない場合は、そのまま、マスター領域Ｚ０１で操作されるように継続する処理を行う。このスレーブ領域Ｚ０２を含むアグリゲーションリソースの領域に関する情報は、物理報知チャネル（ＰＢＣＨ）とは分離した領域に配置されても良い。
例えば、物理報知チャネル（ＰＢＣＨ）は、１番目のサブフレーム（サブフレーム＃０）の２番目のスロット（スロット＃１）の１番目、２番目、３番目、４番目のＯＦＤＭシンボルで送信されるが、新たな物理報知チャネル（Ｎｅｗ  ＰＢＣＨ）が、２番目のスロット（スロット＃１）の５番目から７番目のＯＦＤＭシンボルで送信されるようにしても良い。
基地局装置１００は、この新たな物理報知チャネル（Ｎｅｗ  ＰＢＣＨ）に、スレーブ領域Ｚ０２を含むアグリゲーションリソースの領域に関する情報を含めて移動局装置２００に送信する（図１４（ｂ）のステップＳ１０３）。
【０１２６】
アグリゲーション能力を持つ移動局装置２００は、２番目のスロット（スロット＃１）の１番目、２番目、３番目、４番目のＯＦＤＭシンボルで送信される物理報知チャネル（ＰＢＣＨ）と、２番目のスロット（スロット＃１）の５番目から７番目のＯＦＤＭシンボルで送信される新たな物理報知チャネル（Ｎｅｗ  ＰＢＣＨ）の双方を取得する。
これにより、アグリゲーション能力を持つ移動局装置２００（マスター領域Ｚ０１およびスレーブ領域Ｚ０２にアクセス可能な移動局装置２００）に対する情報と、アグリゲーション能力を持たない移動局装置２００（マスター領域Ｚ０１のみにアクセス可能な移動局装置Ｚ０２）に対する情報とを、効率的に分離可能となる。
【０１２７】
アグリゲーションリソースの領域に関する情報を取得した場合（新たな物理報知チャネル（Ｎｅｗ  ＰＢＣＨ）のデコードが成功した場合）には、移動局装置２００は、必要に応じて無線部をスレーブ領域Ｚ０２まで受信できるように調整する（図１４（ｂ）のステップＳ１０４）。
無線部２０３ａ（図７）の調整の必要がない場合（マスター領域Ｚ０１とスレーブ領域Ｚ０２が隣接している場合など）は、チャネルの取得部分を調整することにより対処する。アグリゲーションリソースの領域で操作されるように継続する処理を行う。すなわち、移動局装置２００は、アグリゲーションが行われた前提で物理下りリンク制御チャネル（ＰＤＣＣＨ）のデコード（アグリゲーション後のリソース割り当て情報フォーマットの物理下りリンク制御チャネル（ＰＤＣＣＨ）のデコード）を行い、それ以降の報知情報（ＢＣＣＨ）の取得に続き、接続セットアップの処理を行う（図１４（ｂ）のステップＳ１０５）。
【０１２８】
基地局装置１００は、アグリゲーション能力を持つ移動局装置２００しか収容しない帯域では、移動局装置２００の能力に関わらず、常に上記のアグリゲーション後のリソース割り当て情報フォーマットの物理下りリンク制御チャネル（ＰＤＣＣＨ）を使用する。すなわち、基地局装置１００は、移動局装置２００のアクセスするマスター領域Ｚ０１を知る必要はない。
図１４（ａ）は、移動局装置２００がそれぞれのステップで受信可能な周波数領域を示している。ステップＳ１０１からステップＳ１０４までは、マスター領域Ｚ０１の一部に配置される物理報知チャネルの取得に必要な領域のリソースを、移動局装置２００は受信可能である。また、ステップＳ１０４以降では、マスター領域Ｚ０１およびスレーブ領域Ｚ０２の領域のリソースを、移動局装置２００は受信可能である。
【０１２９】
本発明の第１の実施形態では、基地局装置１００（図６）の無線部１０３ａ（信号送信部とも称する）は、マスター領域Ｚ０１（第１の周波数帯域とも称する）とは異なる少なくとも１つのスレーブ領域Ｚ０２（第２の周波数帯域とも称する）を特定する情報を含む信号を、マスター領域Ｚ０１を用いて、移動局装置２００に送信する。
【０１３０】
また、移動局装置２００（図７）のデータ抽出部２０７ａ（情報取得部とも称する）は、マスター領域Ｚ０１を用いて、基地局装置１００から送信される信号に含まれ、スレーブ領域Ｚ０２を特定する情報を取得する。
また、スケジューリング部２０４（周波数帯域特定部とも称する）は、データ抽出部２０７ａが取得した情報に基づいて、スレーブ領域Ｚ０２を特定する。
具体的には、スケジューリング部２０４は、マスター領域Ｚ０１内の所定の周波数帯域幅で送信される物理報知チャネルに含まれる情報に基づいて、スレーブ領域Ｚ０２を特定する。なお、スケジューリング部２０４は、データ抽出部２０７ａが取得した情報に基づいて、スレーブ領域Ｚ０２内にある特定のチャネル（物理報知チャネルなど）を含むか否かを特定するようにしても良い。
また、無線部２０３ａ（通信部とも称する）は、マスター領域Ｚ０１又はスレーブ領域Ｚ０２を用いて、基地局装置１００と通信する。
【０１３１】
本発明の第１の実施形態による無線通信システムでは、移動局装置２００が最初にマスター領域Ｚ０１にアクセスして、そのマスター領域Ｚ０１に含まれる情報であってスレーブ領域Ｚ０２を特定する情報を取得することができる。よって、基地局装置１００から別途、スレーブ領域Ｚ０２を特定する情報を受信する必要がなくなる。そのため、通信開始時に基地局装置１００から移動局装置２００に送信する情報を少なくすることができ、基地局装置１００と移動局装置２００との間で、速やかに通信を開始することができる。
【０１３２】
（第２の実施形態）
次に、本発明の第２の実施形態による無線通信システムについて説明する。第２の実施形態による無線通信システムは、基地局装置１００’と移動局装置２００’を備えている。第２の実施形態による基地局装置１００’と移動局装置２００’の構成は、第１の実施形態による基地局装置１００（図６）と移動局装置２００（図７）の構成と同様であるので、それらの説明を省略する。以降では、第２の実施形態が、第１の実施形態と異なる部分についてのみ説明する。
【０１３３】
図１７（ｂ）は、本発明の第２の実施形態による無線通信システムの処理を示すシーケンス図である。
始めに、移動局装置２００’は、セル選択やセル再選択処理によって、基地局装置１００’の下りリンク同期信号（ＳＣＨ）を取得し、下りリンクの同期処理を行う（ステップＳ２０１）。この際、下りリンク同期信号（ＳＣＨ）は、マスター領域Ｚ０１に配置される（図１７（ａ）参照）。
移動局装置２００’は、マスター領域Ｚ０１で操作されるように物理報知チャネル（ＰＢＣＨ）を取得する（ステップＳ２０２）。
この際、物理報知チャネル（ＰＢＣＨ）から、マスター領域Ｚ０１に関する情報（マスター領域Ｚ０１のシステム帯域幅（リソースブロック数）など）を取得する（ステップＳ２０３）。
さらに、マスター領域Ｚ０１で操作されるように継続する処理を行う（ステップＳ２０４）。
【０１３４】
移動局装置２００’は、マスター領域Ｚ０１で下りリンク共用チャネル（ＤＬ−ＳＣＨ）にマッピングされる報知制御チャネル（ＢＣＣＨ）を受信する（Ｓステップ２０５）。
この下りリンク共用チャネル（ＤＬ−ＳＣＨ）は、物理下りリンク制御チャネル（ＰＤＣＣＨ）によって指定された物理下りリンク共用チャネルの動的なリソースで送信されるため、動的にリソースの変更が可能である。この報知情報チャネル（ＢＣＣＨ）で、アグリゲーションリソースの領域に関する情報（マスター領域Ｚ０１のシステム帯域幅（リソースブロック数）および／またはスレーブ領域Ｚ０２（図１７（ａ）参照）のキャリア周波数やシステム帯域幅（リソースブロック数）などを示す情報、および／または移動局装置２００’のバージョン情報など）を取得した場合には、移動局装置２００’は、無線部をスレーブ領域Ｚ０２まで受信できるように調整する（ステップＳ２０６）。
第１の実施形態と同様、アグリゲーションリソースに関する情報には、マスター領域Ｚ０１とスレーブ領域Ｚ０２間、または全体のシステムに含まれる複数のシステム帯域間のガードバンドの幅を知るための情報が含まれる。
【０１３５】
以降、アグリゲーションリソースの領域またはアグリゲーションリソースの領域およびマスター領域Ｚ０１で操作されるように継続する処理を行う。すなわち、移動局装置２００’は、アグリゲーションが行われた前提で物理下りリンク制御チャネル（ＰＤＣＣＨ）のデコード（アグリゲーション後のリソース割り当て情報フォーマットの物理下りリンク制御チャネル（ＰＤＣＣＨ）のデコード）を行い、それ以降の報知情報（ＢＣＣＨ）の取得に続き、接続セットアップの処理を行い、通常の通信を行う（ステップＳ２０７）。
【０１３６】
基地局装置１００’は、収容帯域に複数のマスター領域Ｚ０１を持つ場合、移動局装置２００’のマスター領域Ｚ０１を検出する必要がある。この移動局装置２００’のマスター領域Ｚ０１の検出には、物理ランダムアクセスチャネル（ＰＲＡＣＨ）またはランダムアクセスチャネル（ＲＡＣＨ）が使用される。
例えば、基地局装置１００’は、アグリゲーションリソースの領域に関する情報と共に、マスター領域Ｚ０１の物理ランダムアクセスリソースを示す情報を、各移動局装置２００’に報知する。移動局装置２００’は、アクセスした領域で示される物理ランダムアクセスリソースを使用して、ランダムアクセスを行う。そのため、基地局装置１００’は、ランダムアクセスを行った移動局装置２００’がどの領域をマスター領域Ｚ０１として使用しているかを、移動局装置２００’によって使用された物理ランダムアクセスリソースから判定し、ランダムアクセス処理およびそれ以降の処理に、マスター領域Ｚ０１を特定した前提での物理下りリンク制御チャネル（ＰＤＣＣＨ）を使用することができる。なお、移動局装置２００’のマスター領域Ｚ０１は、共通制御チャネル（ＣＣＣＨ）にて、ランダムアクセス手続き中に移動局装置２００’から基地局装置１００’に通知されても良い。
【０１３７】
基地局装置１００’は、収容帯域にアグリゲーション能力を持つ移動局装置２００’と、アグリゲーション能力を持たない移動局装置２００’を収容する場合、移動局装置２００’のアグリゲーション能力を検出する必要がある。この移動局装置２００’のアグリゲーション能力の検出には、物理ランダムアクセスチャネル（ＰＲＡＣＨ）またはランダムアクセスチャネル（ＲＡＣＨ）が使用される。
【０１３８】
例えば、基地局装置１００’は、アグリゲーションリソースの領域に関する情報と共に、アグリゲーションを使用する移動局装置２００’用の物理ランダムアクセスリソースを示す情報を、各移動局装置２００’に報知する。移動局装置２００’は、アグリゲーションを使用する際には、アグリゲーションを使用する移動局装置２００’用の物理ランダムアクセスリソースを使用して、ランダムアクセスを行う。そのため、基地局装置１００’は、ランダムアクセスを行った移動局装置２００’がアグリゲーションの能力を持っているかどうかを、使用された物理ランダムアクセスリソースから判定し、ランダムアクセス処理およびそれ以降の処理に、アグリゲーションが行われたという前提で、物理下りリンク制御チャネル（ＰＤＣＣＨ）を使用することができる。なお、移動局装置２００’のアグリゲーション能力は、共通制御チャネル（ＣＣＣＨ）にて、ランダムアクセス手続き中に移動局装置２００’から基地局装置１００’に通知されても良い。このランダムアクセス手続き中に使用される下りリンクの帯域は、マスター領域Ｚ０１である。
【０１３９】
さらに移動局装置２００’は、マスター領域Ｚ０１でも操作されるように並列に処理を行うようにしても良い。また、アグリゲーションを使用できない移動局装置やアグリゲーションリソースの領域に関する情報を解読することのできない移動局装置は、マスター領域Ｚ０１で操作されるように処理を行う。
また、スレーブ領域Ｚ０２内の特定のチャネル（下りリンク同期信号（ＳＣＨ）、物理報知チャネル（ＰＢＣＨ）、報知制御チャネル（ＢＣＣＨ）など）の有無は、マスター領域Ｚ０１で、各移動局装置２００’に報知される。複数のスレーブ領域Ｚ０２が存在する場合、基地局装置１００’は、それぞれの領域の特定チャネルの有無を移動局装置２００’に報知する。移動局装置２００’は、報知情報からそれぞれの領域の特定チャネルの有無を特定する。この際、マスター領域Ｚ０１でのみ下りリンク共用チャネル（ＤＬ−ＳＣＨ）にマッピングされる報知制御チャネル（ＢＣＣＨ）の送信が行われるようにシステムを構成することにより、報知制御チャネル（ＢＣＣＨ）をスレーブ領域Ｚ０２に配置することなくシステムを効率的に動作させることができる。
【０１４０】
図１７（ａ）は、移動局装置２００’がそれぞれのステップで受信可能な周波数領域を示している。ステップＳ２０１からステップＳ２０３までは、マスター領域Ｚ０１の一部に配置される物理報知チャネルの取得に必要な領域のリソースを、移動局装置２００’は受信可能である。また、ステップＳ２０３からステップＳ２０６までは、マスター領域Ｚ０１の領域のリソースを、移動局装置２００’は受信可能である。また、ステップＳ２０６以降では、マスター領域Ｚ０１およびスレーブ領域Ｚ０２の領域のリソースを、移動局装置２００’は受信可能である。
【０１４１】
本発明の第２の実施形態では、基地局装置１００’（図６）の無線部１０３ａ（信号送信部とも称する）は、マスター領域Ｚ０１（第１の周波数帯域とも称する）とは異なる少なくとも１つのスレーブ領域Ｚ０２（第２の周波数帯域とも称する）を特定する情報を含む信号を、マスター領域Ｚ０１を用いて、移動局装置２００’に送信する。
【０１４２】
また、移動局装置２００’（図７）のデータ抽出部２０７ａ（情報取得部とも称する）は、マスター領域Ｚ０１を用いて、基地局装置１００’から送信される信号に含まれ、スレーブ領域Ｚ０２を特定する情報を取得する。
また、スケジューリング部２０４（周波数帯域特定部とも称する）は、データ抽出部２０７ａが取得した情報に基づいて、スレーブ領域Ｚ０２を特定する。
具体的には、スケジューリング部２０４は、マスター領域Ｚ０１内の所定の周波数帯域幅で送信される物理下りリンク共用チャネルに含まれる報知情報に基づいて、スレーブ領域Ｚ０２を特定する。
なお、スケジューリング部２０４は、マスター領域Ｚ０１内の物理下りリンク共用チャネルで送信される特定移動局装置２００’への制御情報に基づいて、スレーブ領域Ｚ０２を特定するようにしても良い。
また、無線部２０３ａ（通信部とも称する）は、マスター領域Ｚ０１又はスレーブ領域Ｚ０２を用いて、基地局装置１００’と通信する。
【０１４３】
なお、本実施形態において、移動局装置２００’は、マスター領域Ｚ０１内のリソースを指定する下りリンク制御信号にて報知情報のリソースが指定されると共に、マスター領域Ｚ０１を特定後、マスター領域Ｚ０１およびスレーブ領域Ｚ０２内のリソースを指定する下りリンク制御情報を基地局装置１００’から取得するようにしても良い。
【０１４４】
本発明の第２の実施形態による無線通信システムでは、移動局装置２００’が最初にマスター領域Ｚ０１にアクセスして、そのマスター領域Ｚ０１に含まれる情報であってスレーブ領域Ｚ０２を特定する情報を取得することができる。よって、第１の実施形態と同様に、基地局装置１００’から別途、スレーブ領域Ｚ０２を特定する情報を受信する必要がなくなる。このため、通信開始時に基地局装置１００’から移動局装置２００’に送信する情報を少なくすることができ、基地局装置１００’と移動局装置２００’との間で、速やかに通信を開始することができる。
特に、下りリンク共用チャネル（ＤＬ−ＳＣＨ）にマッピングされる報知制御チャネル（ＢＣＣＨ）の受信を行ってアグリゲーションリソースの領域に関する情報を取得するので、動的にリソースの変更が可能であるという効果を奏する。
【０１４５】
（第３の実施形態）
次に、本発明の第３の実施形態による無線通信システムについて説明する。第３の実施形態による無線通信システムは、基地局装置１００’’と移動局装置２００’’を備えている。第２の実施形態による基地局装置１００’’と移動局装置２００’’の構成は、第１の実施形態による基地局装置１００’’（図６）と移動局装置２００’’（図７）の構成と同様であるので、それらの説明を省略する。以降では、第３の実施形態が、第１の実施形態と異なる部分についてのみ説明する。
【０１４６】
図１８（ｂ）は、本発明の第３の実施形態による無線通信システムの処理を示すシーケンス図である。
始めに、移動局装置２００’’は、セル選択やセル再選択処理によって、基地局装置１００’’の下りリンク同期信号（ＳＣＨ）を取得し、下りリンクの同期処理を行う（ステップＳ３０１）。この際、下りリンク同期信号（ＳＣＨ）は、マスター領域Ｚ０１（図１８（ａ）参照）に配置される。
移動局装置２００’’は、マスター領域Ｚ０１で操作されるように物理報知チャネル（ＰＢＣＨ）を取得する（ステップＳ３０２）。この際、物理報知チャネル（ＰＢＣＨ）から、マスター領域Ｚ０１に関する情報（マスター領域Ｚ０１のシステム帯域幅（リソースブロック数）など）を取得する（ステップＳ３０３）。さらに、マスター領域Ｚ０１で操作されるように継続する処理を行う（ステップＳ３０４）。
【０１４７】
移動局装置２００’’は、マスター領域Ｚ０１で、ＲＲＣ接続確立処理を行い、通信状態（ＲＲＣ接続状態）を確立する。このＲＲＣ接続確立処理中のＲＲＣ接続セットアップ（共通制御チャネル（ＣＣＣＨ）（ＲＲＣシグナリング））や、通信中の移動局装置２００’’への専用制御チャネル（ＤＣＣＨ）（ＲＲＣシグナリング）にて、基地局装置１００’’から移動局装置２００’’に、アグリゲーションリソースの領域に関する情報（マスター領域のシステム帯域幅（リソースブロック数）および／またはスレーブ領域Ｚ０２（図１８（ａ）参照）のキャリア周波数やシステム帯域幅（リソースブロック数）などを示す情報、および／または移動局装置２００’’のバージョン情報など）が通知される（ステップＳ３０５）。
この共通制御チャネル（ＣＣＣＨ）や、専用制御チャネル（ＤＣＣＨ）は、マスター領域Ｚ０１で下りリンク共用チャネル（ＤＬ−ＳＣＨ）にマッピングされる。この下りリンク共用チャネル（ＤＬ−ＳＣＨ）は、物理下りリンク制御チャネル（ＰＤＣＣＨ）によって指定された物理下りリンク共用チャネルの動的なリソースで送信されるため、動的にリソースの変更が可能である。
【０１４８】
アグリゲーションリソースの領域に関する情報を取得した移動局装置２００’’は、無線部２０３ａ（図７）をスレーブ領域Ｚ０２まで受信できるように調整する（ステップＳ３０６）。以降、アグリゲーションリソースの領域または、アグリゲーションリソースの領域およびマスター領域Ｚ０１で操作されるように継続する処理を行う。
すなわち、移動局装置２００’’は、共通制御チャネル（ＣＣＣＨ）または専用制御チャネル（ＤＣＣＨ）（ＲＲＣシグナリング）の確認後、アグリゲーションが行われた前提で物理下りリンク制御チャネル（ＰＤＣＣＨ）のデコード（アグリゲーション後のリソース割り当て情報フォーマットの物理下りリンク制御チャネル（ＰＤＣＣＨ）のデコード）を行う（ステップＳ３０７）。
【０１４９】
基地局装置１００’’は、収容帯域に複数のマスター領域Ｚ０１を持つ場合、移動局装置２００’’のマスター領域Ｚ０１を検出する必要がある。第２の実施形態と同様、移動局装置２００’’のマスター領域Ｚ０１は、物理ランダムアクセスチャネル（ＰＲＡＣＨ）またはランダムアクセスチャネル（ＲＡＣＨ）を使用して検出するか、または、移動局装置２００’’のマスター領域Ｚ０１は、共通制御チャネル（ＣＣＣＨ）にて、ランダムアクセス手続き中に移動局装置２００’’から基地局装置１００’’に通知される。
また、移動局装置２００’’のマスター領域Ｚ０１は、専用制御チャネル（ＤＣＣＨ）（ＲＲＣシグナリング）にて、基地局装置１００’’から指定し、変更することが可能である。
【０１５０】
基地局装置１００’’は、収容帯域にアグリゲーション能力を持つ移動局装置２００’’と、アグリゲーション能力を持たない移動局装置２００’’を収容する場合、移動局装置２００’’のアグリゲーション能力を検出する必要がある。
この移動局装置２００’’のアグリゲーション能力の検出には、基地局装置１００’’は、上位層からの情報を利用する。基地局装置１００’’は、ランダムアクセスを行った移動局装置２００’’がアグリゲーションの能力を持っているかどうかを判定する。そして、基地局装置１００’’は、移動局装置２００’’に対して、アグリゲーションリソースを使用するように指示する場合は、専用制御チャネル（ＤＣＣＨ）（ＲＲＣシグナリング）にてアグリゲーションリソースを指定する。
なお、移動局装置２００’’のアグリゲーション能力は、共通制御チャネル（ＣＣＣＨ）にて、ランダムアクセス手続き中に移動局装置２００’’から基地局装置１００’’に通知しても良い。
【０１５１】
また、移動局装置２００’’は、マスター領域Ｚ０１でも操作されるように並列に処理を行うようにしても良い。また、アグリゲーションリソースの領域に関する情報を取得していない移動局装置２００’’は、マスター領域Ｚ０１で操作されるように処理を行うようにしても良い。
また、スレーブ領域Ｚ０２内の特定のチャネル（下りリンク同期信号（ＳＣＨ）、物理報知チャネル（ＰＢＣＨ）、報知制御チャネル（ＢＣＣＨ）など）の有無は、マスター領域Ｚ０１で報知される。また、スレーブ領域Ｚ０２内の特定のチャネルの有無は、専用制御情報によっても、基地局装置１００’’から移動局装置２００’’に通知される。移動局装置２００’’は、報知情報または専用制御情報からそれぞれの領域の特定チャネルの有無を特定する。
複数のスレーブ領域Ｚ０２が存在する場合、基地局装置１００’’は、それぞれの領域の特定チャネルの有無を移動局装置２００’’に通知する。この際、マスター領域Ｚ０１でのみ下りリンク共用チャネル（ＤＬ−ＳＣＨ）にマッピングされる報知制御チャネル（ＢＣＣＨ）の送信が行われるようにシステムを構成することにより、報知制御チャネル（ＢＣＣＨ）をスレーブ領域Ｚ０２に配置することなくシステムを効率的に動作させることができる。
【０１５２】
図１８（ａ）は、移動局装置２００’’がそれぞれのステップで受信可能な周波数領域を示している。ステップＳ３０１からステップＳ３０３までは、マスター領域Ｚ０１の一部に配置される物理報知チャネルの取得に必要な領域のリソースを、移動局装置２００’’は受信可能である。また、ステップＳ３０３からステップＳ３０６までは、マスター領域Ｚ０１の領域のリソースを、移動局装置２００’’は受信可能である。また、ステップＳ３０６以降では、マスター領域Ｚ０１およびスレーブ領域Ｚ０２の領域のリソースを、移動局装置２００’’は受信可能である。
【０１５３】
本発明の第３の実施形態による無線通信システムでは、移動局装置２００’’が最初にマスター領域Ｚ０１にアクセスして、そのマスター領域Ｚ０１に含まれる情報であってスレーブ領域Ｚ０２を特定する情報を取得することができる。よって、第１の実施形態と同様に、基地局装置１００’’から別途、スレーブ領域Ｚ０２を特定する情報を受信する必要がなくなる。このため、通信開始時に基地局装置１００’’から移動局装置２００’’に送信する情報を少なくすることができ、速やかに通信を開始することができる。
特に、下りリンク共用チャネル（ＤＬ−ＳＣＨ）にマッピングされる専用制御チャネル（ＤＣＣＨ）の受信を行ってアグリゲーションリソースの領域に関する情報を取得するので、特定の移動局装置それぞれに対して適用的にアグリゲーションリソースの変更が可能であるという効果を奏する。
【０１５４】
上記のそれぞれの実施形態においては、説明の都合上、アグリゲーション能力や、アグリゲーションリソースの領域に関する情報という表現を用いたが、それぞれ、移動局装置（移動局装置２００、２００’、２００’’）のバージョン（リリースバージョン、動作バージョンなど）や、新バージョンの移動局装置用の領域に関する情報という意味であっても良い。すなわち、移動局装置のリリースバージョンが古い場合には、アグリゲーション能力を持たない移動局装置が存在し、移動局装置のリリースバージョンが新しい場合には、アグリゲーション能力を持つ。
【０１５５】
上記のそれぞれの実施形態においては、複数のシステム帯域をアグリゲーションして、システムを構成するように説明したが、１つのシステムが、複数のサブシステム帯域で構成されても良い。また、それぞれのシステム帯域（またはサブシステム帯域）は、キャリアコンポーネントとも称する。これは、特定の受信側、又は、特定の送信側が、それぞれのキャリアコンポーネントの中心にキャリア周波数を合わせることによってシステムが動作する領域であることを示している。
【０１５６】
上記のそれぞれの実施形態においては、説明の都合上、基地局装置（基地局装置１００、１００’、１００’’）と移動局装置（移動局装置２００、２００’、２００’’）とが一対一の場合を例にとって説明したが、基地局装置および移動局装置は複数であっても良い。また、移動局装置とは、移動する端末に限らず、基地局装置や固定端末に移動局装置の機能を実装することなどにより実現しても良い。
【０１５７】
また、以上説明したそれぞれの実施形態において、基地局装置内の各機能や、移動局装置内の各機能を実現するためのプログラムをコンピュータ読み取り可能な記録媒体に記録しても良い。そして、この記録媒体に記録されたプログラムをコンピュータシステムに読み込ませ、実行することにより基地局装置や移動局装置の制御を行っても良い。なお、ここでいう「コンピュータシステム」とは、ＯＳや周辺機器等のハードウェアを含む。
【０１５８】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに、「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含む。また上記プログラムは、前述した機能の一部を実現するためのものであっても良い。さらに、前述した機能をコンピュータシステムに既に記録されているプログラムとの組み合わせで実現できるものであっても良い。
【０１５９】
以上、この発明の実施形態について図面を参照して詳述してきたが、具体的な構成はこの実施形態に限られるものではなく、この発明の要旨を逸脱しない範囲の設計等も特許請求の範囲に含まれる。
【産業上の利用可能性】
【０１６０】
本発明は、通信開始時に基地局装置から移動局装置に送信する情報を少なくすることができ、速やかに通信を開始することができる通信システム、移動局装置及び通信方法などに適用できる。
【符号の説明】
【０１６１】
１００・・・基地局装置、１０１ａ、１０１ｂ・・・データ制御部、１０２ａ、１０２ｂ・・・ＯＦＤＭ変調部、１０３ａ、１０３ｂ・・・無線部、１０４・・・スケジューリング部、１０５・・・チャネル推定部、１０６・・・ＤＦＴ−Ｓ−ＯＦＤＭ復調部、１０７・・・データ抽出部、１０８・・・上位層、２００・・・移動局装置、２０１・・・データ制御部、２０２・・・ＤＦＴ−Ｓ−ＯＦＤＭ変調部、２０３ａ、２０３ｂ・・・無線部、２０４・・・スケジューリング部、２０５ａ、２０５ｂ・・・チャネル推定部、２０６ａ、２０６ｂ・・・ＯＦＤＭ復調部、２０７ａ、２０７ｂ・・・データ抽出部、２０８・・・上位層、３０１・・・物理マッピング部、３０２・・・参照信号生成部、３０３・・・同期信号生成部、３０４・・・変調部、３０５・・・ＩＦＦＴ部、３０６・・・ＣＰ挿入部、３０７・・・Ｄ／Ａ変換部、３０８・・・無線送信部、４０１・・・無線受信部、４０２・・・Ａ／Ｄ変換部、４０３・・・ＣＰ除去部、４０４・・・ＦＦＴ部、４０５・・・復調部、５０１・・・物理マッピング部、５０２・・・参照信号生成部、５０３・・・同期信号生成部、５０４−１、５０４−２・・・変調部、５０５−１、５０５−２・・・ＩＦＦＴ部、５０６−１、５０６−２・・・ＣＰ挿入部、５０７−１、５０７−２・・・Ｄ／Ａ変換部、５０８−１、５０８−２・・・無線送信部、６０１−１、６０１−２・・・無線受信部、６０２−１、６０２−２・・・Ａ／Ｄ変換部、６０３−１、６０３−２・・・バンド毎チャネル推定部、６０４−１、６０４−２・・・ＣＰ除去部、６０５−１、６０５−２・・・ＦＦＴ部、６０６−１、６０６−２・・・復調部、Ａ１、Ａ２・・・アンテナ部
【図１】
2010016255.tif 000003
【図２】
2010016255.tif 000004
【図３】
2010016255.tif 000005
【図４】
2010016255.tif 000006
【図５】
2010016255.tif 000007
【図６】
2010016255.tif 000008
【図７】
2010016255.tif 000009
【図８】
2010016255.tif 000010
【図９】
2010016255.tif 000011
【図１０】
2010016255.tif 000012
【図１１】
2010016255.tif 000013
【図１２】
2010016255.tif 000014
【図１３】
2010016255.tif 000015
【図１４】
2010016255.tif 000016
【図１５】
2010016255.tif 000017
【図１６】
2010016255.tif 000018
【図１７】
2010016255.tif 000019
【図１８】
2010016255.tif 000020
【図１９】
2010016255.tif 000021
【図２０】
2010016255.tif 000022
【図２１】
2010016255.tif 000023
【手続補正書】
【提出日】平成21年12月11日(2009.12.11)
【手続補正１】
【補正対象書類名】特許請求の範囲
【補正対象項目名】全文
【補正方法】変更
【補正の内容】
【特許請求の範囲】
【請求項１】
基地局装置と移動局装置とを備える通信システムであって、
前記基地局装置は、
第１の周波数帯域とは異なる少なくとも１つの第２の周波数帯域を特定する情報を含む信号を前記第１の周波数帯域内の物理下りリンク共用チャネルを介したＲＲＣシグナリングを用いて前記移動局装置に送信する信号送信部を備え、
前記移動局装置は、
前記第１の周波数帯域内の物理下りリンク共用チャネルを介したＲＲＣシグナリングを用いて送信される前記第１の周波数帯域とは異なる少なくとも１つの第２の周波数帯域を特定する情報を取得する情報取得部と、
前記情報取得部が取得した情報に基づいて、前記第２の周波数帯域を特定する周波数帯域特定部と、
前記第１の周波数帯域および前記第２の周波数帯域を用いて前記基地局装置と通信する通信部とを備える通信システム。
【請求項２】
前記周波数帯域特定部は、前記情報取得部が取得した情報に基づいて、第２の周波数帯域内にある特定の物理チャネルを含むか否かを特定することを特徴とする請求項１に記載の通信システム。
【請求項３】
前記ＲＲＣシグナリングを運ぶ論理チャネルして、共通制御チャネルが使用されることを特徴とする請求項１に記載の通信システム。
【請求項４】
前記ＲＲＣシグナリングを運ぶ論理チャネルとして、専用制御チャネルが使用されることを特徴とする請求項１に記載の通信システム。
【請求項５】
基地局装置と通信する移動局装置であって、
前記第１の周波数帯域内の物理下りリンク共用チャネルを介したＲＲＣシグナリングを用いて送信される前記第１の周波数帯域とは異なる少なくとも１つの第２の周波数帯域を特定する情報を取得する情報取得部と、
前記情報取得部が取得した情報に基づいて、前記第２の周波数帯域を特定する周波数帯域特定部と、
前記第１の周波数帯域および前記第２の周波数帯域を用いて前記基地局装置と通信する通信部と、
を備える移動局装置。
【請求項６】
前記周波数帯域特定部は、前記情報取得部が取得した情報に基づいて、第２の周波数帯域内にある特定の物理チャネルを含むか否かを特定する請求項５に記載の移動局装置。
【請求項７】
前記ＲＲＣシグナリングを運ぶ論理チャネルとして、共通制御チャネルが使用される請求項５に記載の移動局装置。
【請求項８】
前記ＲＲＣシグナリングを運ぶ論理チャネルとして、専用制御チャネルが使用される請求項５に記載の移動局装置。
【請求項９】
基地局装置と移動局装置とを用いた通信方法であって、
前記基地局装置は、
第１の周波数帯域とは異なる少なくとも１つの第２の周波数帯域を特定する情報を含む信号を前記第１の周波数帯域内の物理下りリンク共用チャネルを介したＲＲＣシグナリングを用いて前記移動局装置に送信する信号送信過程を有し、
前記移動局装置は、
前記第１の周波数帯域内の物理下りリンク共用チャネルを介したＲＲＣシグナリングを用いて送信される前記第１の周波数帯域とは異なる少なくとも１つの第２の周波数帯域を特定する情報を取得する情報取得過程と、
前記情報取得過程で取得した情報に基づいて、前記第２の周波数帯域を特定する周波数帯域特定過程と、
前記第１の周波数帯域および前記第２の周波数帯域を用いて前記基地局装置と通信する通信過程とを有する通信方法。
【請求項１０】
前記周波数帯域特定過程は、前記情報取得過程で取得した情報に基づいて、第２の周波数帯域内にある特定の物理チャネルを含むか否かを特定することを特徴とする請求項９に記載の通信方法。
【請求項１１】
前記ＲＲＣシグナリングを運ぶ論理チャネルとして、共通制御チャネルが使用されることを特徴とする請求項９に記載の通信方法。
【請求項１２】
前記ＲＲＣシグナリングを運ぶ論理チャネルとして、専用制御チャネルが使用されることを特徴とする請求項９に記載の通信方法。
【手続補正２】
【補正対象書類名】明細書
【補正対象項目名】０００４
【補正方法】変更
【補正の内容】
【０００４】
［００１１］
非特許文献１：３ＧＰＰ  ＴＳ（Ｔｅｃｈｎｉｃａｌ  Ｓｐｅｃｉｆｉｃａｔｉｏｎ）３６．３００、Ｖ８．４．０（２００８−０３）、Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ、Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）  ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）；Ｏｖｅｒａｌｌ  ｄｅｓｃｒｉｐｔｉｏｎ；Ｓｔａｇｅ  ２（Ｒｅｌｅａｓｅ  ８）
発明の概要
発明が解決しようとする課題
［００１２］
本発明は、上記事情に鑑みてなされたものであり、その目的は、通信開始時に基地局装置から移動局装置に送信する情報を少なくすることができ、速やかに通信を開始することができる通信システム、移動局装置及び通信方法を提供することにある。
課題を解決するための手段
［００１３］
（１）  本発明は、上記課題を解決するためになされたもので、本発明の一態様による通信システムは、基地局装置と移動局装置とを備える通信システムであって、前記基地局装置は、第１の周波数帯域とは異なる少なくとも１つの第２の周波数帯域を特定する情報を含む信号を前記第１の周波数帯域内の物理下りリンク共用チャネルを介したＲＲＣシグナリングを用いて前記移動局装置に送信する信号送信部を備え、前記移動局装置は、前記第１の周波数帯域内の物理下りリンク共用チャネルを介したＲＲＣシグナリングを用いて送信される前記第１の周波数帯域とは異なる少なくとも１つの第２の周波数帯域を特定する情報を取得する情報取得部と、前記情報取得部が取得した情報に基づいて、前記第２の周波数帯域を特定する周波数帯域特定部と、前記第１の周波数帯域および前記第２の周波数帯域を用いて前記基地局装置と通信する通信部とを備える。
［００１４］
（２）  また、本発明の一態様による通信システムでは、前記周波数帯域特定部は、前記情報取得部が取得した情報に基づいて、第２の周波数帯域内にある特定の物理チャネルを含むか否かを特定しても良い。
【手続補正３】
【補正対象書類名】明細書
【補正対象項目名】０００５
【補正方法】変更
【補正の内容】
【０００５】
（３）  また、本発明の一態様による通信システムでは、前記ＲＲＣシグナリングを運ぶ論理チャネルして、共通制御チャネルが使用されても良い。
（４）  また、本発明の一態様による通信システムでは、前記ＲＲＣシグナリングを運ぶ論理チャネルとして、専用制御チャネルが使用されても良い。
［００１５］
（５）  また、本発明の一態様による移動局装置は、基地局装置と通信する移動局装置であって、前記第１の周波数帯域内の物理下りリンク共用チャネルを介したＲＲＣシグナリングを用いて送信される前記第１の周波数帯域とは異なる少なくとも１つの第２の周波数帯域を特定する情報を取得する情報取得部と、前記情報取得部が取得した情報に基づいて、前記第２の周波数帯域を特定する周波数帯域特定部と、前記第１の周波数帯域および前記第２の周波数帯域を用いて前記基地局装置と通信する通信部と、を備える。
［００１６］
（６）  また、本発明の一態様による移動局装置では、前記周波数帯域特定部は、前記情報取得部が取得した情報に基づいて、第２の周波数帯域内にある特定の物理チャネルを含むか否かを特定しても良い。
（７）  また、本発明の一態様による移動局装置では、前記ＲＲＣシグナリングを運ぶ論理チャネルとして、共通制御チャネルが使用されても良い。
（８）  また、本発明の一態様による移動局装置では、前記ＲＲＣシグナリングを運ぶ論理チャネルとして、専用制御チャネルが使用されても良い。
［００１７］
（９）  また、本発明の一態様による通信方法は、基地局装置と移動局装置とを用いた通信方法であって、前記基地局装置は、第１の周波数帯域とは異なる少なくとも１つの第２の周波数帯域を特定する情報を含む信号を前記第１の周波数帯域内の物理下りリンク共用チャネルを介したＲＲＣシグナリングを用いて前記移動局装置に送信する信号送信過程を有し、前記移動局装置は、前記第１の周波数帯域内の物理下りリンク共用チャネルを介したＲＲＣシグナリングを用いて送信される前記第１の周波数帯域とは異なる少なくとも１つの第２の周波数帯域を特定する情報を取得する情報取得過程と、前記情報取得過程で取得した情報に基づいて、前記第２の周波数帯域を特定する周波数帯域特定過程と、前記第１の周波数帯域および前記第２の周波数帯域を用いて前記基地局装置と通信する通信過程とを有する。
［００１８］
（１０）  また、本発明の一態様による通信方法では、前記周波数帯域特定過程は、前記情報取得過程で取得した情報に基づいて、第２の周波数帯域内にある特定の物理チャネルを含むか否かを特定しても良い。
（１１）  また、本発明の一態様による通信方法では、前記ＲＲＣシグナリングを運ぶ論理チャネルとして、共通制御チャネルが使用されても良い。
（１２）  また、本発明の一態様による通信方法では、前記ＲＲＣシグナリングを運ぶ論理チャネルとして、専用制御チャネルが使用されても良い。
発明の効果
［００１９］
本発明の通信システム、移動局装置及び通信方法は、通信開始時に基地局装置から移動局装置に送信する情報を少なくすることができ、速やかに通信を開始することができる。
【国際調査報告】
2010016255.tif 000024
2010016255.tif 000025